(57)【要約】  第１の情報の送信のための第１のリソースを設定し、第２の情報の送信のための第２のリソースを設定し、第１の同期信号の送信、および、フレーム番号を示すための第３の情報の送信のための、第３のリソースを設定し、第２の同期信号の送信、および、フレーム番号を示すための第４の情報の送信のための、第４のリソースを設定し、前記第１の同期信号の送信、前記第３の情報の送信、前記第２の同期信号の送信、および、前記第４の情報の送信のそれぞれに対する送信電力は、前記上位層において設定される第３のパラメータであって、前記第１の同期信号の送信、前記第３の情報の送信、前記第２の同期信号の送信、および、前記第４の情報の送信に対して共通の１つの前記第３のパラメータを用いることによって与えられる。
2016017672.tif 000002
【特許請求の範囲】
【請求項１】
物理チャネルのスケジューリングに対して用いられる第１の情報の送信のための第１のリソースを設定し、ここで、前記物理チャネルは、端末装置から他の端末装置への第２の情報を送信するために用いられ、
前記第２の情報の送信のための第２のリソースを設定し、
第１の同期信号の送信、および、フレーム番号を示すための第３の情報の送信のための、第３のリソースを設定し、
第２の同期信号の送信、および、フレーム番号を示すための第４の情報の送信のための、第４のリソースを設定し、
前記第１の情報の送信に対する送信電力は、上位層において設定される第１のパラメータを用いることによって与えられ、
前記第２の情報の送信に対する送信電力は、前記上位層において設定される第２のパラメータを用いることによって与えられ、
前記第１の同期信号の送信、前記第３の情報の送信、前記第２の同期信号の送信、および、前記第４の情報の送信のそれぞれに対する送信電力は、前記上位層において設定される第３のパラメータであって、前記第１の同期信号の送信、前記第３の情報の送信、前記第２の同期信号の送信、および、前記第４の情報の送信に対して共通の１つの前記第３のパラメータを用いることによって与えられる
端末装置。
【請求項２】
前記第１の情報、前記第１の同期信号の送信、前記第３の情報の送信、前記第２の同期信号の送信、および、前記第４の情報の送信は、前記他の端末装置によって受信される
請求項１に記載の端末装置。
【請求項３】
前記第３のリソースは、前記上位層における第４のパラメータに基づき、
前記第４のリソースは、前記上位層における第５のパラメータに基づく
請求項１または請求項２に記載の端末装置。
【請求項４】
物理チャネルのスケジューリングに対して用いられる第１の情報の送信のための第１のリソースを設定し、ここで、前記物理チャネルは、端末装置から他の端末装置への第２の情報を送信するために用いられ、
前記第２の情報の送信のための第２のリソースを設定し、
第１の同期信号の送信、および、フレーム番号を示すための第３の情報の送信のための、第３のリソースを設定し、
第２の同期信号の送信、および、フレーム番号を示すための第４の情報の送信のための、第４のリソースを設定し、
前記第１の情報の送信に対する送信電力は、上位層において設定される第１のパラメータを用いることによって与えられ、
前記第２の情報の送信に対する送信電力は、前記上位層において設定される第２のパラメータを用いることによって与えられ、
前記第１の同期信号の送信、前記第３の情報の送信、前記第２の同期信号の送信、および、前記第４の情報の送信のそれぞれに対する送信電力は、前記上位層において設定される第３のパラメータであって、前記第１の同期信号の送信、前記第３の情報の送信、前記第２の同期信号の送信、および、前記第４の情報の送信に対して共通の１つの前記第３のパラメータを用いることによって与えられる
端末装置の通信方法。
【請求項５】
前記第１の情報、前記第１の同期信号の送信、前記第３の情報の送信、前記第２の同期信号の送信、および、前記第４の情報の送信は、前記他の端末装置によって受信される
請求項４に記載の端末装置の通信方法。
【請求項６】
前記第３のリソースは、前記上位層における第４のパラメータに基づき、
前記第４のリソースは、前記上位層における第５のパラメータに基づく
請求項４または請求項５に記載の端末装置の通信方法。
【請求項７】
物理チャネルのスケジューリングに対して用いられる第１の情報の送信のための第１のリソースを設定し、ここで、前記物理チャネルは、端末装置から他の端末装置への第２の情報を送信するために用いられ、
前記第２の情報の送信のための第２のリソースを設定し、
第１の同期信号の送信、および、フレーム番号を示すための第３の情報の送信のための、第３のリソースを設定し、
第２の同期信号の送信、および、フレーム番号を示すための第４の情報の送信のための、第４のリソースを設定する、機能を端末装置へ発揮させ、
前記第１の情報の送信に対する送信電力は、上位層において設定される第１のパラメータを用いることによって与えられ、
前記第２の情報の送信に対する送信電力は、前記上位層において設定される第２のパラメータを用いることによって与えられ、
前記第１の同期信号の送信、前記第３の情報の送信、前記第２の同期信号の送信、および、前記第４の情報の送信のそれぞれに対する送信電力は、前記上位層において設定される第３のパラメータであって、前記第１の同期信号の送信、前記第３の情報の送信、前記第２の同期信号の送信、および、前記第４の情報の送信に対して共通の１つの前記第３のパラメータを用いることによって与えられる
端末装置に搭載される集積回路。
【請求項８】
前記第１の情報、前記第１の同期信号の送信、前記第３の情報の送信、前記第２の同期信号の送信、および、前記第４の情報の送信は、前記他の端末装置によって受信される
請求項７に記載の端末装置に搭載される集積回路。
【請求項９】
前記第３のリソースは、前記上位層における第４のパラメータに基づき、
前記第４のリソースは、前記上位層における第５のパラメータに基づく
請求項７または請求項８に記載の端末装置に搭載される集積回路。
【発明の詳細な説明】
【技術分野】
【０００１】
本発明は、端末装置、基地局装置、通信方法、および、集積回路に関する。
本願は、２０１４年７月２９日に、日本に出願された特願２０１４−１５３６４０号に基づき優先権を主張し、その内容をここに援用する。
【背景技術】
【０００２】
セルラ（cellular）移動通信の無線アクセス方式（Evolved Universal Terrestrial Radio Access : EUTRA）および無線アクセスネットワーク（Evolved Universal Terrestrial Radio Access Network: EUTRAN）が、第三世代パートナーシッププロジェクト（3rd Generation Partnership Project: 3GPP）において検討されている。ＥＵＴＲＡおよびＥＵＴＲＡＮをＬＴＥ（Long Term Evolution）とも称する。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラ通信システムである。単一の基地局装置は複数のセルを管理してもよい。【０００３】
３ＧＰＰにおいて、ＰｒｏＳｅ（Proximity based Services）の検討が行われている。ＰｒｏＳｅは、ＰｒｏＳｅ発見（discovery）とＰｒｏＳｅ通信（communication）とを含む。ＰｒｏＳｅ発見は、端末装置がＥＵＴＲＡを用いて他の端末装置と近接している（in proximity）ことを特定するプロセスである。ＰｒｏＳｅ通信は、２つの端末装置間で確立されたＥＵＴＲＡＮ通信路（communication path）を用いる近接している該２つの端末間の通信である。例えば、該通信路は端末装置間において直接確立されてもよい。【０００４】
ＰｒｏＳｅ発見およびＰｒｏＳｅ通信のそれぞれを、Ｄ２Ｄ（Device to Device）発見およびＤ２Ｄ通信とも称する。ＰｒｏＳｅ発見およびＰｒｏＳｅ通信を総称して、ＰｒｏＳｅとも称する。Ｄ２Ｄ発見（デバイスディスカバリ）およびＤ２Ｄ通信（デバイスコミュミケーション）を総称して、Ｄ２Ｄとも称する。ここで、通信路をリンク（link）とも称する。【０００５】
非特許文献１において、リソースブロックのサブセットがＤ２Ｄのためにリザーブされること、ネットワークがＤ２Ｄリソースのセットを設定すること、および、端末装置は該設定されたリソースにおいてＤ２Ｄ信号の送信を許可されることが記載されている。
【先行技術文献】
【非特許文献】
【０００６】
【非特許文献１】"D2D for LTE Proximity Services: Overview", R1-132028, 3GPP TSG-RAN WG1 Meeting #73, 20 - 24 May 2013.
【発明の概要】
【発明が解決しようとする課題】
【０００７】
しかしながら、端末装置がＤ２Ｄ通信を行う際の処理については十分に検討されていない。本発明は、効率的にＤ２Ｄを行うことができる端末装置、該端末装置を制御する基地局装置、該端末装置に実装される集積回路、該基地局装置に用いられる基地局装置、該端末装置に用いられる通信方法、および、該基地局装置に用いられる通信方法を提供することである。
【課題を解決するための手段】
【０００８】
（１）本発明の一実施形態に係る端末装置は、物理チャネルのスケジューリングに対して用いられる第１の情報の送信のための第１のリソースを設定し、ここで、前記物理チャネルは、端末装置から他の端末装置への第２の情報を送信するために用いられ、前記第２の情報の送信のための第２のリソースを設定し、第１の同期信号の送信、および、フレーム番号を示すための第３の情報の送信のための、第３のリソースを設定し、第２の同期信号の送信、および、フレーム番号を示すための第４の情報の送信のための、第４のリソースを設定し、前記第１の情報の送信に対する送信電力は、上位層において設定される第１のパラメータを用いることによって与えられ、前記第２の情報の送信に対する送信電力は、前記上位層において設定される第２のパラメータを用いることによって与えられ、前記第１の同期信号の送信、前記第３の情報の送信、前記第２の同期信号の送信、および、前記第４の情報の送信のそれぞれに対する送信電力は、前記上位層において設定される第３のパラメータであって、前記第１の同期信号の送信、前記第３の情報の送信、前記第２の同期信号の送信、および、前記第４の情報の送信に対して共通の１つの前記第３のパラメータを用いることによって与えられる。【０００９】
（２）また、本発明の他の実施形態に係る端末装置において、前記第１の情報、前記第１の同期信号の送信、前記第３の情報の送信、前記第２の同期信号の送信、および、前記第４の情報の送信は、前記他の端末装置によって受信される。【００１０】
（３）また、本発明の他の実施形態に係る端末装置において、前記第３のリソースは、前記上位層における第４のパラメータに基づき、前記第４のリソースは、前記上位層における第５のパラメータに基づく。【００１１】
（４）また、本発明の他の実施形態に係る通信方法は、物理チャネルのスケジューリングに対して用いられる第１の情報の送信のための第１のリソースを設定し、ここで、前記物理チャネルは、端末装置から他の端末装置への第２の情報を送信するために用いられ、前記第２の情報の送信のための第２のリソースを設定し、第１の同期信号の送信、および、フレーム番号を示すための第３の情報の送信のための、第３のリソースを設定し、第２の同期信号の送信、および、フレーム番号を示すための第４の情報の送信のための、第４のリソースを設定し、前記第１の情報の送信に対する送信電力は、上位層において設定される第１のパラメータを用いることによって与えられ、前記第２の情報の送信に対する送信電力は、前記上位層において設定される第２のパラメータを用いることによって与えられ、前記第１の同期信号の送信、前記第３の情報の送信、前記第２の同期信号の送信、および、前記第４の情報の送信のそれぞれに対する送信電力は、前記上位層において設定される第３のパラメータであって、前記第１の同期信号の送信、前記第３の情報の送信、前記第２の同期信号の送信、および、前記第４の情報の送信に対して共通の１つの前記第３のパラメータを用いることによって与えられる。【００１２】
（５）また、本発明の他の実施形態に係る通信方法において、前記第１の情報、前記第１の同期信号の送信、前記第３の情報の送信、前記第２の同期信号の送信、および、前記第４の情報の送信は、前記他の端末装置によって受信される。【００１３】
（６）また、本発明の他の実施形態に係る通信方法において、前記第３のリソースは、前記上位層における第４のパラメータに基づき、前記第４のリソースは、前記上位層における第５のパラメータに基づく。【００１４】
（７）また、本発明の他の実施形態に係る集積回路は、物理チャネルのスケジューリングに対して用いられる第１の情報の送信のための第１のリソースを設定し、ここで、前記物理チャネルは、端末装置から他の端末装置への第２の情報を送信するために用いられ、前記第２の情報の送信のための第２のリソースを設定し、第１の同期信号の送信、および、フレーム番号を示すための第３の情報の送信のための、第３のリソースを設定し、第２の同期信号の送信、および、フレーム番号を示すための第４の情報の送信のための、第４のリソースを設定する、機能を端末装置へ発揮させ、前記第１の情報の送信に対する送信電力は、上位層において設定される第１のパラメータを用いることによって与えられ、前記第２の情報の送信に対する送信電力は、前記上位層において設定される第２のパラメータを用いることによって与えられ、前記第１の同期信号の送信、前記第３の情報の送信、前記第２の同期信号の送信、および、前記第４の情報の送信のそれぞれに対する送信電力は、前記上位層において設定される第３のパラメータであって、前記第１の同期信号の送信、前記第３の情報の送信、前記第２の同期信号の送信、および、前記第４の情報の送信に対して共通の１つの前記第３のパラメータを用いることによって与えられる。【００１５】
（８）また、本発明の他の実施形態に係る集積回路において、前記第１の情報、前記第１の同期信号の送信、前記第３の情報の送信、前記第２の同期信号の送信、および、前記第４の情報の送信は、前記他の端末装置によって受信される。【００１６】
（９）また、本発明の他の実施形態に係る集積回路において、前記第３のリソースは、前記上位層における第４のパラメータに基づき、前記第４のリソースは、前記上位層における第５のパラメータに基づく。
【発明の効果】
【００１７】
この発明によれば、端末装置は効率的にＤ２Ｄを行うことができる。
【図面の簡単な説明】
【００１８】
【図１】本実施形態の無線通信システムの概念図である。
【図２】本実施形態の無線フレームの概略構成を示す図である。
【図３】本実施形態のスロットの構成を示す図である。
【図４】本実施形態のＤ２Ｄリソースを示す図である。
【図５】本実施形態におけるＤ２ＤＳＳ／ＰＤ２ＤＳＣＨの送信方法を示す図である。
【図６】本実施形態の端末装置１の構成を示す概略ブロック図である。
【図７】本実施形態の基地局装置３の構成を示す概略ブロック図である。
【発明を実施するための形態】
【００１９】
以下、本発明の実施形態について説明する。
【００２０】
本実施形態では、端末装置は、１つまたは複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルと称する。サービングセルは、ＥＵＴＲＡＮの通信のために用いられる。Ｄ２Ｄのために設定されるセルを、Ｄ２Ｄセルと称する。Ｄ２Ｄセルはサービングセルであってもよい。また、Ｄ２Ｄセルはサービングセル以外のセルであってもよい。
【００２１】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００２２】
セルアグリゲーションの場合には、複数のセルの全てに対してＴＤＤ（Time Division Duplex）方式またはＦＤＤ（Frequency Division Duplex）方式が適用されてもよい。また、ＴＤＤ方式が適用されるセルとＦＤＤ方式が適用されるセルが集約されてもよい。
【００２３】
図１は、本実施形態の無線通信システムの概念図である。図１において、無線通信システムは、端末装置１Ａ〜１Ｃ、および、基地局装置３を具備する。端末装置１Ａ〜１Ｃを端末装置１という。サービングセル４は、基地局装置３（ＬＴＥ、ＥＵＴＲＡＮ）がカバーするエリア（範囲）を示す。ここで、端末装置１Ａは、ＥＵＴＲＡＮの範囲内（in-coverage）である。また、端末装置１Ｂおよび端末装置１Ｃは、ＥＵＴＲＡＮの範囲外（out-of-coverage）である。
【００２４】
上りリンク５は、端末装置１から基地局装置３へのリンクである。尚、上りリンク５において、リピータを介さずに、端末装置１から基地局装置３へ直接信号が送信されてもよい。下りリンク７は、基地局装置３から端末装置１へのリンクである。また、上りリンク５と下りリンク７とをセルラリンク、または、セルラ通信路とも称する。また、端末装置１と基地局装置３の通信をセルラ通信、または、ＥＵＴＲＡＮとの通信とも称する。
【００２５】
Ｄ２Ｄリンク９は、端末装置１間のリンクである。尚、Ｄ２Ｄリンク９をＤ２Ｄ通信路、ＰｒｏＳｅリンク、または、ＰｒｏＳｅ通信路とも称する。Ｄ２Ｄリンク９において、Ｄ２Ｄ発見およびＤ２Ｄ通信が行われる。Ｄ２Ｄ発見は、端末装置１がＥＵＴＲＡを用いて他の端末装置１と近接している（in proximity）ことを特定するプロセス／手順である。Ｄ２Ｄ通信は、複数の端末装置１間で確立されたＥＵＴＲＡＮ通信路を用いる、近接している複数の該端末装置１間の通信である。例えば、該通信路は端末装置１間に直接確立されてもよい。
【００２６】
本実施形態の物理チャネルおよび物理信号について説明する。
【００２７】
下りリンク物理チャネルおよび下りリンク物理信号を総称して、下りリンク信号と称する。上りリンク物理チャネルおよび上りリンク物理信号を総称して、上りリンク信号と称する。Ｄ２Ｄ物理チャネルおよびＤ２Ｄ物理信号を総称して、Ｄ２Ｄ信号と称する。物理チャネルは、上位層から出力された情報を送信するために使用される。物理信号は、上位層から出力された情報を送信するために使用されないが、物理層によって使用される。
【００２８】
図１において、端末装置１間のＤ２Ｄリンク９の無線通信では、以下のＤ２Ｄ物理チャネルが用いられる。
・ＰＤ２ＤＳＣＨ（Physical Device to Device Synchronization Channel）
・ＰＤ２ＤＤＣＨ（Physical Device to Device Data Channel）
【００２９】
ＰＤ２ＤＳＣＨは、同期に関する情報を送信するために用いられる。例えば、同期に関する情報は、Ｄ２Ｄフレーム番号、または、ＳＦＮ（System Frame Number）を示す情報などを含む。
【００３０】
ＰＤ２ＤＤＣＨは、Ｄ２Ｄデータ（ProSe communication Shared Channel: PSCH）およびＤ２ＤＳＡ（Device to Device Scheduling Assignment）を送信するために用いられる。Ｄ２ＤデータおよびＤ２ＤＳＡは同じＰＤ２ＤＳＣＨにマップされない。Ｄ２ＤＳＡは、Ｄ２Ｄデータの送信のために用いられるＰＤ２ＤＳＣＨのスケジューリングのために用いられる。例えば、Ｄ２ＤＳＡは、Ｄ２Ｄデータの送信のために用いられるＰＤ２ＤＳＣＨのリソースを示す情報、宛先識別子（destination identity）を示す情報、ソース識別子（source identity）を示す情報などを含む。ここで、Ｄ２Ｄ発見に対応するＤ２ＤデータおよびＤ２ＤＳＡを発見信号（discovery signal）と称する。また、Ｄ２Ｄ通信に対応するＤ２ＤデータおよびＤ２ＤＳＡを通信信号（communication signal）と称する。
【００３１】
ＰＤ２ＤＳＣＨは、ＰＵＳＣＨ（Physical Uplink Shared Channel）であってもよい。すなわち、Ｄ２ＤデータおよびＤ２ＤＳＡの送信のためにＰＵＳＣＨが使用されてもよい。本実施形態では、Ｄ２Ｄのために使用されるＰＵＳＣＨをＰＤ２ＤＳＣＨと称する。本実施形態では、ＥＵＴＲＡＮとの通信に用いられるＰＵＳＣＨを、単にＰＵＳＣＨと記載する。ＰＵＳＣＨの詳細については後述する。
【００３２】
図１において、Ｄ２Ｄの無線通信では、以下のＤ２Ｄ物理信号が用いられる。
・Ｄ２Ｄ同期信号（D2D Synchronization Signal: D2DSS）
・Ｄ２Ｄ参照信号（D2D Reference Signal: D2DRS）
【００３３】
Ｄ２ＤＳＳは、Ｄ２Ｄリンクにおける同期をとるために用いられる。Ｄ２ＤＳＳは、ＰＤ２ＤＳＳ（Primary D2D Synchronization Signal）およびＳＤ２ＤＳＳ（Secondary D2D synchronization Signal）を含む。Ｄ２ＤＳＳは、ＰＤ２ＤＳＣＨの送信に関連する。Ｄ２ＤＳＳは、ＰＤ２ＤＳＣＨと時間多重されてもよい。端末装置１は、ＰＤ２ＤＳＣＨの伝搬路補正を行なうためにＤ２ＤＳＳを使用してもよい。
【００３４】
ここで、Ｄ２ＤＳＳは、基地局装置によって設定された周期、あるいは、予め設定された周期を用いて、周期的な時間で（周期的に）送信されてもよい。また、Ｄ２ＤＳＳは、基地局装置によって設定されたリソース（例えば、基地局装置によって設定されたリソースプールの先頭のサブフレーム（または、先頭のサブフレームの一部）など）、あるいは、予め設定されたリソース（例えば、予め設定されたリソースプールの先頭のサブフレーム（または、先頭のサブフレームの一部）など）で送信されてもよい。
【００３５】
また、端末装置１は、該端末装置１が同期ソースとなるときにだけ、Ｄ２ＤＳＳを送信してもよい。すなわち、端末装置１は、同期ソースになることができる。なお、端末装置１は、基地局装置３によって指示された場合に、同期ソースになってもよい。また、端末装置１は、該端末装置１の周辺に同期ソースが存在しない場合（存在しないと判断した場合に）に、同期ソースとなってもよい。また、端末装置１は、同期ソースになっていたい端末装置は、同期ソースからのＤ２ＤＳＳの受信タイミングに合わせてＤ２Ｄ信号を送信することができる。
【００３６】
Ｄ２ＤＲＳは、ＰＤ２ＤＳＣＨまたはＰＤ２ＤＤＣＨの送信に関連する。Ｄ２ＤＲＳは、ＰＵＳＣＨまたはＰＵＣＣＨと時間多重されてもよい。端末装置１は、ＰＤ２ＤＳＣＨの伝搬路補正を行なうためにＤ２ＤＲＳを使用してもよい。
【００３７】
送信する端末装置１の観点から、端末装置１は、Ｄ２Ｄ通信のリソース割り当てに対する２つのモード（モード１、モード２）で動作できる。
【００３８】
モード１において、ＥＵＴＲＡＮ（基地局装置３）は、通信信号（Ｄ２ＤデータおよびＤ２ＤＳＡ）の送信のために端末装置１によって使用される正確なリソースをスケジュールする。すなわち、モード１において、端末装置１は、通信信号（Ｄ２ＤデータおよびＤ２ＤＳＡ）の送信のためのリソースをＥＵＴＲＡＮ（基地局装置３）によってスケジュールされる。
【００３９】
モード２において、端末装置１は、通信信号（Ｄ２ＤデータおよびＤ２ＤＳＡ）の送信のためにリソースプールからリソースを選択する。すなわち、モード２において、通信信号（Ｄ２ＤデータおよびＤ２ＤＳＡ）の送信のためのリソースは、端末装置１によって選択される。リソースプールは、リソースのセットである。モード２に対するリソースプールは、ＥＵＴＲＡＮ（基地局装置３）によって準静的（semi-static）に設定／制限されてもよい。または、モード２に対するリソースプールは予め設定（pre-configured）されていてもよい。
【００４０】
Ｄ２Ｄ通信の能力を持つ、ＥＵＴＲＡＮの範囲内（in-coverage）の端末装置１は、モード１およびモード２をサポートしてもよい。Ｄ２Ｄ通信の能力を持つ、ＥＵＴＲＡＮの範囲外（out-of-coverage）の端末装置１は、モード２のみをサポートしてもよい。基地局装置３は、端末装置１に対して、モード１で動作するか、モード２で動作するかを指示してもよい。例えば、基地局装置３は、端末装置１に対して、モード１で動作するか、モード２で動作するかを指示するための情報（パラメータ）を上位層の信号に含めて送信してもよい。
【００４１】
また、Ｄ２Ｄ発見手順として２つのタイプ（タイプ１、タイプ２）が定義される。
【００４２】
タイプ１のＤ２Ｄ発見手順は、発見信号に対するリソースが端末装置１に対して個別に割り当てられないＤ２Ｄ発見手順である。すなわち、タイプ１のＤ２Ｄ発見手順において、発見信号に対するリソースは全ての端末装置１または端末装置１のグループに対して割り当てられてもよい。
【００４３】
タイプ２のＤ２Ｄ発見手順は、発見信号に対するリソースが端末装置１に対して個別に割り当てられるＤ２Ｄ発見手順である。リソースが発見信号の個別の送信インスタンス（instance）のそれぞれに対して割り当てられる発見手順を、タイプ２Ａ発見手順と称する。リソースが発見信号の送信のために準永続的（semi-persistently）に割り当てられるタイプ２の発見手順を、タイプ２Ｂ発見手順と称する。
【００４４】
図１において、上りリンクの無線通信では、以下の上りリンク物理チャネルが用いられる。
・ＰＵＣＣＨ（Physical Uplink Control Channel）
・ＰＵＳＣＨ（Physical Uplink Shared Channel）
・ＰＲＡＣＨ（Physical Random Access Channel）
【００４５】
ＰＵＣＣＨは、上りリンク制御情報（Uplink Control Information: UCI）を送信するために用いられる物理チャネルである。
【００４６】
ＰＵＳＣＨは、上りリンクデータ（Uplink-Shared Channel: UL-SCH）および／またはＨＡＲＱ−ＡＣＫおよび／またはチャネル状態情報を送信するために用いられる物理チャネルである。
【００４７】
ＰＲＡＣＨは、ランダムアクセスプリアンブルを送信するために用いられる物理チャネルである。ＰＲＡＣＨは、初期コネクション確立（initial connection establishment）プロシージャ、ハンドオーバプロシージャ、コネクション再確立（connection re-establishment）プロシージャにおいて用いられる。
【００４８】
図１において、上りリンクの無線通信では、以下の上りリンク物理信号が用いられる。
・上りリンク参照信号（Uplink Reference Signal: UL RS）
【００４９】
本実施形態において、以下の２つのタイプの上りリンク参照信号が用いられる。
・ＤＭＲＳ（Demodulation Reference Signal）
・ＳＲＳ（Sounding Reference Signal）
【００５０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。基地局装置３は、上りリンクのチャネル状態を測定するためにＳＲＳを使用する。
【００５１】
図１において、下りリンクの無線通信では、以下の下りリンク物理チャネルが用いられる。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００５２】
ＰＢＣＨは、端末装置１で共通に用いられるマスターインフォメーションブロック（Master Information Block: MIB, Broadcast Channel: BCH）を報知するために用いられる。例えば、ＭＩＢは、ＳＦＮを示す情報を含む。ＳＦＮ（system frame number）は無線フレームの番号である。ＭＩＢはシステム情報である。
【００５３】
ＰＣＦＩＣＨは、ＰＤＣＣＨの送信に用いられる領域（ＯＦＤＭシンボル）を指示する情報を送信するために用いられる。
【００５４】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータを送信するために用いられる。
【００５５】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）、上りリンクグラント（uplink grant）、および、Ｄ２Ｄグラント（D2D grant）を含む。下りリンクグラントは、下りリンクアサインメント（downlink assignment）または下りリンク割り当て（downlink allocation）とも称する。
【００５６】
上りリンクグラントは、単一のセル内の単一のＰＵＳＣＨのスケジューリングに用いられる。上りリンクグラントは、あるサブフレーム内の単一のＰＵＳＣＨのスケジューリングに用いられる。下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００５７】
Ｄ２Ｄグラントは、Ｄ２Ｄ通信のモード１に関連するＰＤ２ＤＤＣＨのスケジューリングに用いられる。すなわち、Ｄ２Ｄグラントは、モード１で動作する端末装置１に対して、ＰＤ２ＤＤＣＨをスケジューリングするために用いられる。
【００５８】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、ＳＰＳ  Ｃ−ＲＮＴＩ（Semi Persistent Scheduling Cell-Radio Network Temporary Identifier）、または、Ｄ２Ｄ−ＲＮＴＩ（D2D-Radio Network Temporary Identifier）によってスクランブルされる。ここで、Ｃ−ＲＮＴＩ、ＳＰＳ  Ｃ−ＲＮＴＩ、および、Ｄ２Ｄ−ＲＮＴＩは、セル内において端末装置１を識別するための識別子である。Ｃ−ＲＮＴＩは、単一のサブフレームにおけるＰＤＳＣＨのリソースまたはＰＵＳＣＨのリソースを制御するために用いられる。ＳＰＳ  Ｃ−ＲＮＴＩは、ＰＤＳＣＨまたはＰＵＳＣＨのリソースを周期的に割り当てるために用いられる。Ｄ２Ｄ−ＲＮＴＩは、Ｄ２Ｄグラントの送信のために用いられる。すなわち、Ｄ２Ｄ−ＲＮＴＩは、モード１のＤ２Ｄ通信のためのＰＤ２ＤＳＣＨのスケジューリングに用いられる。
【００５９】
ＰＤＳＣＨは、下りリンクデータ（Downlink Shared Channel: DL-SCH）を送信するために用いられる。
【００６０】
ＰＭＣＨは、マルチキャストデータ（Multicast Channel: MCH）を送信するために用いられる。
【００６１】
図１において、下りリンクの無線通信では、以下の下りリンク物理信号が用いられる。
・同期信号（Synchronization signal: SS）
・下りリンク参照信号（Downlink Reference Signal: DL RS）
【００６２】
同期信号は、端末装置１が下りリンクの周波数領域および時間領域の同期をとるために用いられる。ＦＤＤ方式において、同期信号は無線フレーム内のサブフレーム０と５に配置される。
【００６３】
下りリンク参照信号は、端末装置１が下りリンク物理チャネルの伝搬路補正を行なうために用いられる。下りリンク参照信号は、端末装置１が下りリンクのチャネル状態情報を算出するために用いられる。下りリンク参照信号は、端末装置１が自装置の地理的な位置を測定するために用いられる。
【００６４】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
【００６５】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００６６】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨは、ＣＲＳの送信に用いられるアンテナポートまたはＵＲＳの送信に用いられるアンテナポートで送信される。
【００６７】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００６８】
ＮＺＰ  ＣＳＩ−ＲＳは、設定されたサブフレームで送信される。ＮＺＰ  ＣＳＩ−ＲＳが送信されるリソースは、基地局装置３が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００６９】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００７０】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００７１】
ＰＳＣＨ、ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルにおけるデータの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７２】
本実施形態の無線フレーム（radio frame）の構造（structure）について説明する。
【００７３】
ＬＴＥでは、２つの無線フレーム構造がサポートされる。２つの無線フレーム構造は、フレーム構造タイプ１とフレーム構造タイプ２である。フレーム構造タイプ１はＦＤＤに適用可能である。フレーム構造タイプ２はＴＤＤに適用可能である。
【００７４】
図２は、本実施形態の無線フレームの概略構成を示す図である。図２において、横軸は時間軸である。また、タイプ１およびタイプ２の無線フレームのそれぞれは、１０ｍｓ長であり、１０のサブフレームによって定義される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００７５】
フレーム構造タイプ２に対して、以下の３つのタイプのサブフレームが定義される。
・下りリンクサブフレーム
・上りリンクサブフレーム
・スペシャルサブフレーム
【００７６】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００７７】
フレーム構造タイプ２の無線フレームは、少なくとも下りリンクサブフレーム、上りリンクサブフレーム、およびスペシャルサブフレームから構成される。
【００７８】
本実施形態のスロットの構成について説明する。
【００７９】
図３は、本実施形態のスロットの構成を示す図である。図３において、ＯＦＤＭシンボルまたはＳＣ−ＦＤＭＡシンボルに対してノーマルＣＰ（Cyclic Prefix）が適用される。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。例えば、Ｄ２Ｄリンクにおいて、リソースグリッドは複数のサブキャリアと複数のＳＣ−ＦＤＭＡシンボルによって定義されてもよい。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００８０】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００８１】
尚、ＯＦＤＭシンボルまたはＳＣ−ＦＤＭＡシンボルに対して拡張（extended）ＣＰが適用されてもよい。拡張ＣＰの場合、１つのスロットを構成するＯＦＤＭシンボルまたはＳＣ−ＦＤＭＡシンボルの数は７である。
【００８２】
本実施形態の物理チャネルおよび物理信号の配置について説明する。
【００８３】
図４は、本実施形態のＤ２Ｄリソースを示す図である。Ｄ２Ｄのためにリザーブされるリソースを、Ｄ２Ｄリソースと称する。図４において、横軸は時間軸であり、縦軸は周波数軸である。図４において、Ｄは下りリンクサブフレームを示し、Ｓはスペシャルサブフレームを示し、Ｕは上りリンクサブフレームを示す。１つのＦＤＤセルは、１つの下りリンクキャリアおよび１つの上りリンクキャリアに対応する。１つのＴＤＤセルは１つのＴＤＤキャリアに対応する。
【００８４】
ＦＤＤセルにおいて、セルラ通信に対して用いられる下りリンク信号は下りリンクキャリアのサブフレームに配置され、セルラ通信に対して用いられる上りリンク信号は上りリンクキャリアのサブフレームに配置され、Ｄ２Ｄに対して用いられるＤ２Ｄ信号は上りリンクキャリアのサブフレームに配置される。下りリンクにおいてセルに対応するキャリアを下りリンクコンポーネントキャリアと称する。また、上りリンクにおいてセルに対応するキャリアを上りリンクコンポーネントキャリアと称する。ＴＤＤキャリアは、下りリンクコンポーネントキャリアであり、かつ、上りリンクコンポーネントキャリアである。
【００８５】
ＴＤＤセルにおいて、セルラ通信に対して用いられる下りリンク信号は下りリンクサブフレームおよびＤｗＰＴＳに配置され、セルラ通信に対して用いられる上りリンク信号は上りリンクサブフレームおよびＵｐＰＴＳに配置され、Ｄ２Ｄに対して用いられるＤ２Ｄ信号は上りリンクサブフレームおよびＵｐＰＴＳに配置される。
【００８６】
基地局装置３は、Ｄ２ＤのためにリザーブされるＤ２Ｄリソースを制御する。基地局装置３は、ＦＤＤセルの上りリンクキャリアのリソースの一部をＤ２Ｄリソースとしてリザーブする。基地局装置３は、ＴＤＤセルの上りリンクサブフレームおよびＵｐＰＴＳのリソースの一部をＤ２Ｄリソースとしてリザーブする。
【００８７】
基地局装置３は、セルのそれぞれにおいてリザーブされたＤ２Ｄリソースのセット（プール）を示す情報を含む上位層の信号を、端末装置１に送信してもよい。端末装置１は、セルのそれぞれにおいてリザーブされたＤ２Ｄリソースを示すパラメータD2D-ResourceConfigを、基地局装置３から受信した上位層の信号に基づいてセットする。すなわち、基地局装置３は、セルのそれぞれにおいてリザーブされたＤ２Ｄリソースを示すパラメータD2D-ResourceConfigを、上位層の信号を介して端末装置１にセットする。
【００８８】
ＰＤ２ＤＳＣＨおよびＤ２ＤＳＳは、上りリンクコンポーネントキャリアの中心周波数の周りの６２サブキャリアを用いて送信されてもよい。
【００８９】
基地局装置３は、Ｄ２Ｄのためにリザーブされるリソースの１つまたは複数のセットを示す１つまたは複数のパラメータを、上位層の信号を介して端末装置１にセットしてもよい。
【００９０】
ＰＤ２ＤＳＣＨおよびＤ２ＤＳＳのためのリソースのセットと、ＰＤ２ＤＤＣＨのためにリザーブされるリソースのセットは、個別に設定されてもよい。
【００９１】
Ｄ２Ｄ発見のタイプ１、Ｄ２Ｄ発見のタイプ２、Ｄ２Ｄ通信のモード１、および、Ｄ２Ｄ通信のモード２のそれぞれのためのリソースのセットは、個別に設定されてもよい。
【００９２】
Ｄ２Ｄの送信および受信のためのリソースのセットは、個別に設定されてもよい。
【００９３】
さらに、Ｄ２Ｄデータの送信に関するＰＤ２ＤＤＣＨのためのリソースのセットと、Ｄ２ＤＳＡの送信に関するＰＤ２ＤＤＣＨのためのリソースのセットは、個別に設定されてもよい。
【００９４】
端末装置１の観点から、上述したリソースのセットのうち一部のリソースのセットは、透過的（transparent）であってもよい。例えば、Ｄ２Ｄ通信のＤ２ＤデータのためのＰＤ２ＤＤＣＨは、Ｄ２ＤＳＡによってスケジュールされるため、端末装置１は、Ｄ２Ｄ通信のＤ２Ｄデータに関するＰＤ２ＤＤＣＨの受信／モニタのためのリソースのセットを設定しなくてもよい。
【００９５】
３ＧＰＰにおいて、Ｄ２Ｄは、ＰＳ（Public Safety）のために用いられることが検討されている。基地局装置３は、Ｄ２ＤリソースのセットのそれぞれがＰＳのためのリソースのセットであるかどうかを、端末装置１に通知してもよい。また、端末装置１は、ＥＵＴＲＡＮを介して、ＰＳのためのＤ２Ｄが認証されてもよい。すなわち、ＰＳのためのＤ２Ｄが認証されていない端末装置１は、ＰＳのためのリソースのセットでＤ２Ｄを行うことができない。
【００９６】
以下、ＣＰ長の設定方法について説明する。
【００９７】
基地局装置３は、上りリンクおよび下りリンクのＣＰ長を制御する。基地局装置３は、サービングセル毎に上りリンクおよび下りリンクのＣＰ長を個別に制御してもよい。
【００９８】
端末装置１は、サービングセルに対する同期信号および／またはＰＢＣＨに基づいて、ＰＭＣＨおよびＭＢＳＦＮ  ＲＳを除く、サービングセルに対する下りリンク信号のＣＰ長を検出する。ＰＭＣＨおよびＭＢＳＦＮ  ＲＳに対して常に拡張ＣＰが適用される。
【００９９】
基地局装置３は、サービングセルにおける上りリンク信号のＣＰ長を示す情報を含む上位層の信号を、端末装置１に送信する。端末装置１は、サービングセルにおける上りリンクのＣＰ長を示すパラメータUL-CyclicPrefixLengthを、基地局装置３から受信した上位層の信号に基づいてセットする。すなわち、基地局装置３は、サービングセルにおける上りリンクのＣＰ長を示すパラメータUL-CyclicPrefixLengthを、上位層の信号を介して端末装置１にセットする。
【０１００】
基地局装置３は、Ｄ２Ｄに対するＣＰ長を示す情報を含む上位層の信号を、端末装置１に送信してもよい。端末装置１は、Ｄ２Ｄに対するＣＰ長を示すパラメータD2D-CyclicPrefixLengthを、基地局装置３から受信した上位層の信号に基づいてセットしてもよい。すなわち、基地局装置３は、Ｄ２Ｄに対するＣＰ長を示すパラメータD2D-CyclicPrefixLengthを、上位層の信号を介して端末装置１にセットしてもよい。
【０１０１】
ＰＤ２ＤＳＣＨおよびＤ２ＤＳＳのＣＰ長と、ＰＤ２ＤＤＣＨのＣＰ長は、個別に設定されてもよい。
【０１０２】
Ｄ２Ｄ発見のタイプ１、Ｄ２Ｄ発見のタイプ２、Ｄ２Ｄ通信のモード１、および、Ｄ２Ｄ通信のモード２のそれぞれのためのＣＰ長は、個別に設定されてもよい。
【０１０３】
Ｄ２Ｄデータの送信に関するＰＤ２ＤＤＣＨのためのＣＰ長と、Ｄ２ＤＳＡの送信に関するＰＤ２ＤＤＣＨのＣＰ長は、個別に設定されてもよい。
【０１０４】
ＰＤ２ＤＳＣＨおよびＤ２ＤＳＳのＣＰ長は、予め仕様などで定義され、固定であってもよい。Ｄ２ＤＳＡの送信に関するＰＤ２ＤＤＣＨのＣＰ長は、予め仕様などで定義され、固定であってもよい。
【０１０５】
図５に、Ｄ２ＤＳＳ／ＰＤ２ＤＳＣＨの送信方法の例を示す。ここで、Ｄ２ＤＳＳ／ＰＤ２ＤＳＣＨは、Ｄ２ＤＳＳおよび／またはＰＤ２ＤＳＣＨを示す。例えば、Ｄ２ＤＳＳ／ＰＤ２ＤＳＣＨは、基地局装置３によって設定されたサブフレームにおいて、周期的に送信される。
【０１０６】
図５（ａ）は、設定された周期的なリソースプール内の先頭のサブフレーム（先頭のサブフレームの一部でもよい）において、Ｄ２ＤＳＳ／ＰＤ２ＤＳＣＨが周期的に送信される例を示している。ここで、図５（ａ）において、設定される周期的なリソースプールは、Ｄ２Ｄ発見に対して設定されてもよい。例えば、図５（ａ）に示すように、Ｄ２ＤＳＳ／ＰＤ２ＤＳＣＨは、Ｄ２Ｄ発見に対して設定された周期的（２０サブフレーム間隔）なリソースプール内の先頭のサブフレームにおいて送信されてもよい。すなわち、Ｄ２ＤＳＳ／ＰＤ２ＤＳＣＨの送信に対するサブフレームは、Ｄ２Ｄ発見に対するリソースプールに関連して設定されてもよい。また、Ｄ２Ｄ発見に対するリソースプールに関連して設定されたサブフレームにおいて送信されるＤ２ＤＳＳ／ＰＤ２ＤＳＣＨは、Ｄ２Ｄ発見に対するＤ２ＤＳＳ／ＰＤ２ＤＳＣＨであってもよい。
【０１０７】
ここで、図５（ａ）において、Ｄ２ＤＳＳ／ＰＤ２ＤＳＣＨは、設定された周期的なリソースプール内の先頭のサブフレームのみにおいて送信されているが、先頭のサブフレーム以外のサブフレームにおいて送信されてもよい。また、Ｄ２ＤＳＳ／ＰＤ２ＤＳＣＨは、設定された周期的なリソースプール内の１つのリソースプールにおいて周期的に送信されてもよい。例えば、Ｄ２ＤＳＳ／ＰＤ２ＤＳＣＨの送信に対して周期（例えば、５サブフレーム間隔）が設定され、Ｄ２ＤＳＳ／ＰＤ２ＤＳＣＨが、設定された周期に基づいて、１つのリソースプールにおいて周期的に送信されてもよい。また、Ｄ２ＤＳＳ／ＰＤ２ＤＳＣＨは、Ｄ２Ｄ発見に対して設定された周期的（例えば、２０サブフレーム間隔）なリソースプール内の１つのリソースプールにおいて周期的（例えば、５サブフレーム間隔）に送信されてもよい。
【０１０８】
ここで、この際、Ｄ２ＤＳＳ／ＰＤ２ＤＳＣＨの送信に対する周期は、セルラ通信に用いられるリソース（サブフレーム）を含んで設定されてもよい。また、この際、Ｄ２ＤＳＳ／ＰＤ２ＤＳＣＨの送信に対する周期は、１つのリソースプール内のサブフレームのみを考慮して設定されてもよい。
【０１０９】
以下、図５（ａ）を用いて説明したように、送信されるＤ２ＤＳＳ／ＰＤ２ＤＳＣＨ（例えば、Ｄ２Ｄ発見に対して設定された周期的なリソースプール内の先頭のサブフレームにおいて送信されるＤ２ＤＳＳ／ＰＤ２ＤＳＣＨ）を、第１のＤ２ＤＳＳ／第１のＰＤ２ＤＳＣＨとも記載する。例えば、基地局装置３は、第１のＤ２ＤＳＳ／第１のＰＤ２ＤＳＣＨの送信を、上位層の信号に含まれる第１の情報（第１のパラメータ）を用いて制御してもよい。
【０１１０】
図５（ｂ）は、設定された周期的なリソースプール内のサブフレームにおいて、Ｄ２ＤＳＳ／ＰＤ２ＤＳＣＨが周期的に送信される例を示している。ここで、図５（ｂ）において、設定される周期的なリソースプールは、Ｄ２Ｄ通信に対して設定されてもよい。例えば、図５（ｂ）に示すように、Ｄ２ＤＳＳ／ＰＤ２ＤＳＣＨは、Ｄ２Ｄ通信に対して設定された周期的（１０サブフレーム間隔）なリソースプール内のサブフレームにおいて送信されてもよい。すなわち、Ｄ２ＤＳＳ／ＰＤ２ＤＳＣＨの送信に対するサブフレームは、Ｄ２Ｄ通信に対するリソースプールに関連して設定されてもよい。また、Ｄ２Ｄ通信に対するリソースプールに関連して設定されたサブフレームにおいて送信されるＤ２ＤＳＳ／ＰＤ２ＤＳＣＨは、Ｄ２Ｄ通信に対するＤ２ＤＳＳ／ＰＤ２ＤＳＣＨであってもよい。
【０１１１】
以下、図５（ｂ）を用いて説明したように送信されるＤ２ＤＳＳ／ＰＤ２ＤＳＣＨ（例えば、Ｄ２Ｄ通信に対して設定された周期的なリソースプール内のサブフレームにおいて送信されるＤ２ＤＳＳ／ＰＤ２ＤＳＣＨ）を、第２のＤ２ＤＳＳ／第２のＰＤ２ＤＳＣＨとも記載する。例えば、基地局装置３は、第２のＤ２ＤＳＳ／第２のＰＤ２ＤＳＣＨの送信を、上位層の信号に含まれる第２の情報（第２のパラメータ）を用いて制御してもよい。例えば、基地局装置３は、Ｄ２ＤＳＳ／ＰＤ２ＤＳＣＨの送信に対する周期および／またはオフセットを設定することによって、Ｄ２Ｄ通信に対して設定した周期的なリソースプール内の、何れのサブフレームにおいてＤ２ＤＳＳ／ＰＤ２ＤＳＣＨを送信するのか指示してもよい。また、以下に記載するように、第２のＤ２ＤＳＳ／第２のＰＤ２ＤＳＣＨの送信は、第４のＤ２ＤＳＳ／第４のＰＤ２ＤＳＣＨの送信に含まれてもよい。
【０１１２】
図５（ｃ）は、設定された周期的なサブフレームにおいて、Ｄ２ＤＳＳ／ＰＤ２ＤＳＣＨが周期的に送信される例を示している。すなわち、図５（ｃ）は、リソースプール（Ｄ２Ｄ発見に対するリソースプールおよび／またはＤ２Ｄ通信に対するリソースプール）に関連なく、Ｄ２ＤＳＳ／ＰＤ２ＤＳＣＨの送信に対するサブフレームが設定される例を示している。例えば、図５（ｃ）に示すように、Ｄ２ＤＳＳ／ＰＤ２ＤＳＣＨは、設定された周期的（５サブフレーム間隔）なサブフレームにおいて送信されてもよい。ここで、リソースプール（Ｄ２Ｄ発見に対するリソースプールおよび／またはＤ２Ｄ通信に対するリソースプール）に関連なく、設定されたサブフレームにおいて送信されるＤ２ＤＳＳ／ＰＤ２ＤＳＣＨは、Ｄ２Ｄ通信に対するＤ２ＤＳＳ／ＰＤ２ＤＳＣＨであってもよい。
【０１１３】
以下、図５（ｃ）を用いて説明したように送信されるＤ２ＤＳＳ／ＰＤ２ＤＳＣＨ（例えば、設定された周期的なサブフレームにおいて送信されるＤ２ＤＳＳ／ＰＤ２ＤＳＣＨ）を、第３のＤ２ＤＳＳ／第３のＰＤ２ＤＳＣＨとも記載する。例えば、基地局装置３は、第３のＤ２ＤＳＳ／第３のＰＤ２ＤＳＣＨの送信を、上位層の信号に含まれる第３の情報（第３のパラメータ）を用いて制御してもよい。例えば、基地局装置３は、Ｄ２ＤＳＳ／ＰＤ２ＤＳＣＨの送信に対する周期および／またはオフセットを設定することによって、Ｄ２ＤＳＳ／ＰＤ２ＤＳＣＨの周期的な送信に対するサブフレームを指示してもよい。また、端末装置１は、基地局装置３によって指示されたサブフレームが、Ｄ２Ｄ通信に対して設定されたリソースプール内のサブフレームであるならば、Ｄ２ＤＳＳ／ＰＤ２ＤＳＣＨを送信してもよい。ここで、以下に記載するように、第３のＤ２ＤＳＳ／第３のＰＤ２ＤＳＣＨの送信は、第４のＤ２ＤＳＳ／第４のＰＤ２ＤＳＣＨの送信に含まれてもよい。
【０１１４】
以下の記載において、第４のＤ２ＤＳＳ／第４のＰＤ２ＤＳＣＨの送信は、少なくとも、第２のＤ２ＤＳＳ／第２のＰＤ２ＤＳＣＨの送信、または、第３のＤ２ＤＳＳ／第３のＰＤ２ＤＳＣＨの送信のいずれか一方を含む。例えば、基地局装置３は、第４のＤ２ＤＳＳ／第４のＰＤ２ＤＳＣＨの送信を、上位層の信号に含まれる第４の情報（第４のパラメータ）を用いて制御してもよい。すなわち、第４の情報（第４のパラメータ）は、少なくとも、第２の情報（第２のパラメータ）、または、第３の情報（第３のパラメータ）のいずれか一方を含む。
【０１１５】
上述のように、Ｄ２ＤＳＳ／ＰＤ２ＤＳＣＨは、図５（ａ）、図５（ｂ）、および／または、図５（ｃ）を用いて説明したように送信されてもよい。例えば、基地局装置３は、図５（ａ）を用いて説明したような送信方法、および、図５（ｂ）を用いて説明したような送信方法で、Ｄ２ＤＳＳ／ＰＤ２ＤＳＣＨを送信するよう設定してもよい。また、基地局装置３は、図５（ａ）を用いて説明したような送信方法、および、図５（ｃ）を用いて説明したような送信方法で、Ｄ２ＤＳＳ／ＰＤ２ＤＳＣＨを送信するよう設定してもよい。ここで、Ｄ２Ｄ発見およびＤ２Ｄ通信に対して、１つのＤ２ＤＳＳ／ＰＤ２ＤＳＣＨが送信されてもよい。
【０１１６】
以下、第１のＤ２ＤＳＳ／第１のＰＤ２ＤＳＣＨの送信、および、第４のＤ２ＤＳＳ／第４のＰＤ２ＤＳＣＨの送信に対して、１つの共通のＣＰ長が設定される第１の例を記載する。
【０１１７】
例えば、第１のＤ２ＤＳＳ／第１のＰＤ２ＤＳＣＨの送信、および、第４のＤ２ＤＳＳ／第４のＰＤ２ＤＳＣＨの送信に対して、１つのＣＰ長（ＣＰ長に関するパラメータ）が定義されてもよい。すなわち、基地局装置３は、第１のＤ２ＤＳＳ／第１のＰＤ２ＤＳＣＨの送信、および、第４のＤ２ＤＳＳ／第４のＰＤ２ＤＳＣＨの送信に対して、１つのＣＰ長を設定してもよい。また、端末装置１は、設定された１つの共通のＣＰ長を用いて、第１のＤ２ＤＳＳ／第１のＰＤ２ＤＳＣＨ、および、第４のＤ２ＤＳＳ／第４のＰＤ２ＤＳＣＨを送信してもよい。
【０１１８】
ここで、第１のＤ２ＤＳＳ／第１のＰＤ２ＤＳＣＨの送信、および、第４のＤ２ＤＳＳ／第４のＰＤ２ＤＳＣＨの送信に対して設定される１つのＣＰ長として、Ｄ２Ｄ発見に対して設定されるＣＰ長が用いられてもよい。例えば、第１のＤ２ＤＳＳ／第１のＰＤ２ＤＳＣＨの送信に対するＣＰ長、および、第４のＤ２ＤＳＳ／第４のＰＤ２ＤＳＣＨの送信に対するＣＰ長の設定に、Ｄ２Ｄ発見に対して設定されるＣＰ長に関するパラメータが用いられてもよい。
【０１１９】
また、第１のＤ２ＤＳＳ／第１のＰＤ２ＤＳＣＨの送信、および、第４のＤ２ＤＳＳ／第４のＰＤ２ＤＳＣＨの送信に対して設定される１つのＣＰ長として、Ｄ２Ｄ通信に対するＣＰ長が用いられてもよい。例えば、第１のＤ２ＤＳＳ／第１のＰＤ２ＤＳＣＨの送信に対するＣＰ長、および、第４のＤ２ＤＳＳ／第４のＰＤ２ＤＳＣＨの送信に対するＣＰ長の設定に、Ｄ２Ｄ通信に対するＣＰ長に関するパラメータが用いられてもよい。
【０１２０】
また、第１のＤ２ＤＳＳ／第１のＰＤ２ＤＳＣＨの送信、および、第４のＤ２ＤＳＳ／第４のＰＤ２ＤＳＣＨの送信に対して設定される１つのＣＰ長として、Ｄ２Ｄ発見に対して設定されるＣＰ長とＤ２Ｄ通信に対して設定されるＣＰ長のうち、ＣＰ長が長い方（大きい方）が用いられてもよい。すなわち、端末装置１は、Ｄ２Ｄ発見に対して設定されるＣＰ長と、Ｄ２Ｄ通信に対して設定されるＣＰ長と、を比較し、長い方のＣＰ長を用いて、第１のＤ２ＤＳＳ／第１のＰＤ２ＤＳＣＨ、および、第４のＤ２ＤＳＳ／第４のＰＤ２ＤＳＣＨを送信してもよい。例えば、Ｄ２Ｄ発見に対するＣＰ長に関するパラメータによって設定されたＣＰ長と、Ｄ２Ｄ通信に対するＣＰ長に関するパラメータによって設定されたＣＰ長と、を比較し、長い方のＣＰ長が、第１のＤ２ＤＳＳ／第１のＰＤ２ＤＳＣＨ、および、第４のＤ２ＤＳＳ／第４のＰＤ２ＤＳＣＨの送信に用いられてもよい。
【０１２１】
ここで、Ｄ２Ｄ発見に対して設定されるＣＰ長とＤ２Ｄ通信に対して設定されるＣＰ長が、同一の長さの場合には、第１のＤ２ＤＳＳ／第１のＰＤ２ＤＳＣＨ、および、第４のＤ２ＤＳＳ／第４のＰＤ２ＤＳＣＨは、該ＣＰ長を用いて送信されてもよい。また、Ｄ２Ｄ発見に対して設定されるＣＰ長とＤ２Ｄ通信に対して設定されるＣＰ長が、異なる長さの場合には、第１のＤ２ＤＳＳ／第１のＰＤ２ＤＳＣＨ、および、第４のＤ２ＤＳＳ／第４のＰＤ２ＤＳＣＨは、Ｄ２Ｄ発見に対して設定されるＣＰ長と、Ｄ２Ｄ通信に対して設定されるＣＰ長と、を比較し、長い方のＣＰ長を用いて送信されてもよい。
【０１２２】
ここで、上述において、第１のＤ２ＤＳＳ／第１のＰＤ２ＤＳＣＨ、および、第４のＤ２ＤＳＳ／第４のＰＤ２ＤＳＣＨの送信に用いられるＣＰ長として、Ｄ２Ｄ発見に対して設定されるＣＰ長とＤ２Ｄ通信に対して設定されるＣＰ長を比較して、ＣＰ長が長い方を用いることを記載したが、ＣＰ長が短い方を用いてもよいことは勿論である。例えば、ＣＰ長が長い方、ＣＰ長が短い方の、何れを用いるのかは、仕様書などによって規定される。
【０１２３】
以下、第１のＤ２ＤＳＳ／第１のＰＤ２ＤＳＣＨの送信、および、第４のＤ２ＤＳＳ／第４のＰＤ２ＤＳＣＨの送信のそれぞれに対して、個別にＣＰ長が設定される第２の例を記載する。
【０１２４】
例えば、第１のＤ２ＤＳＳ／第１のＰＤ２ＤＳＣＨの送信、および、第４のＤ２ＤＳＳ／第４のＰＤ２ＤＳＣＨの送信のそれぞれに対して、個別のＣＰ長（ＣＰ長に関するパラメータ）が定義されてもよい。すなわち、基地局装置３は、第１のＤ２ＤＳＳ／第１のＰＤ２ＤＳＣＨの送信、および、第４のＤ２ＤＳＳ／第４のＰＤ２ＤＳＣＨの送信のそれぞれに対して、個別にＣＰ長を設定してもよい。また、端末装置１は、第１のＤ２ＤＳＳ／第１のＰＤ２ＤＳＣＨの送信に対して設定されたＣＰ長を用いて第１のＤ２ＤＳＳ／第１のＰＤ２ＤＳＣＨを送信し、第４のＤ２ＤＳＳ／第４のＰＤ２ＤＳＣＨに対して設定されたＣＰ長を用いて第４のＤ２ＤＳＳ／第４のＰＤ２ＤＳＣＨを送信してもよい。
【０１２５】
ここで、第１のＤ２ＤＳＳ／第１のＰＤ２ＤＳＣＨの送信に対して、Ｄ２Ｄ発見に対して設定されるＣＰ長が用いられてもよい。また、第４のＤ２ＤＳＳ／第４のＰＤ２ＤＳＣＨの送信に対して、Ｄ２Ｄ通信に対して設定されるＣＰ長が用いられてもよい。例えば、第１のＤ２ＤＳＳ／第１のＰＤ２ＤＳＣＨの送信に対するＣＰ長に、Ｄ２Ｄ発見に対して設定されるＣＰ長に関するパラメータが用いられてもよい。また、第４のＤ２ＤＳＳ／第４のＰＤ２ＤＳＣＨの送信に対するＣＰ長の設定に、Ｄ２Ｄ通信に対して設定されるＣＰ長に関するパラメータが用いられてもよい。
【０１２６】
ここで、第１の例として記載したＣＰ長の設定方法と、第２の例として記載したＣＰ長の設定方法は、基地局装置３によって切り替えられてもよい。例えば、基地局装置３は、第１の例として記載したＣＰ長の設定方法、または、第２の例として記載したＣＰ長の設定方法のいずれか一方を指示するための情報を、上位層の信号に含めて送信してもよい。
【０１２７】
ここで、第１の例および／または第２の例において、第１のＤ２ＤＳＳ／第１のＰＤ２ＤＳＣＨは、Ｄ２Ｄ発見のためのＰＳＣＨでの送信（ＰＤ２ＤＤＣＨでの送信）に対して設定されるＣＰ長を用いて送信されてもよい。例えば、第１のＤ２ＤＳＳ／第１のＰＤ２ＤＳＣＨは、Ｄ２Ｄ発見のためのＰＳＣＨでの送信（ＰＤ２ＤＤＣＨでの送信）に対して設定されるＣＰ長に関するパラメータに基づいて、設定された周期的なリソースプール内の先頭のサブフレーム（Ｄ２Ｄ発見の送信に対して設定されたリソースプール内の任意のサブフレームでもよい）において送信されてもよい。
【０１２８】
また、第１の例および／または第２の例において、第４のＤ２ＤＳＳ／第４のＰＤ２ＤＳＣＨは、Ｄ２Ｄ通信のためのＰＳＣＨでの送信（ＰＤ２ＤＤＣＨでの送信）に対して設定されるＣＰ長を用いて送信されてもよい。また、第１の例および／または第２の例において、第４のＤ２ＤＳＳ／第４のＰＤ２ＤＳＣＨは、Ｄ２Ｄ通信のためのＤ２ＤＳＡでの送信（ＰＤ２ＤＤＣＨでの送信）に対して設定されるＣＰ長を用いて送信されてもよい。ここで、Ｄ２Ｄ通信のためのＰＳＣＨでの送信（ＰＤ２ＤＤＣＨでの送信）、および、Ｄ２Ｄ通信のためのＰＳＣＨでの送信（ＰＤ２ＤＤＣＨでの送信）のそれぞれに対して、個別にＣＰ長が設定されてもよい。
【０１２９】
また、第１の例および／または第２の例において、Ｄ２Ｄ通信のためのＰＳＣＨでの送信（ＰＤ２ＤＤＣＨでの送信）に対して設定されるＣＰ長、および、Ｄ２Ｄ通信のためのＰＳＣＨでの送信（ＰＤ２ＤＤＣＨでの送信）に対して設定されるＣＰ長が、同一の長さの場合には、第４のＤ２ＤＳＳ／第４のＰＤ２ＤＳＣＨは、該ＣＰ長を用いて送信されてもよい。また、第１の例および／または第２の例において、Ｄ２Ｄ通信のためのＰＳＣＨでの送信（ＰＤ２ＤＤＣＨでの送信）に対して設定されるＣＰ長、および、Ｄ２Ｄ通信のためのＰＳＣＨでの送信（ＰＤ２ＤＤＣＨでの送信）に対して設定されるＣＰ長が、異なる長さの場合には、第４のＤ２ＤＳＳ／第４のＰＤ２ＤＳＣＨは、Ｄ２Ｄ通信のためのＰＳＣＨでの送信（ＰＤ２ＤＤＣＨでの送信）に対して設定されるＣＰ長と、Ｄ２Ｄ通信のためのＰＳＣＨでの送信（ＰＤ２ＤＤＣＨでの送信）に対して設定されるＣＰ長と、を比較し、ＣＰ長が長い方（大きい方）、または、ＣＰ長が短い方（小さい方）のＣＰ長を用いて送信されてもよい。
【０１３０】
すなわち、第４のＤ２ＤＳＳ／第４のＰＤ２ＤＳＣＨは、Ｄ２Ｄ通信のためのＰＳＣＨでの送信（ＰＤ２ＤＤＣＨでの送信）に対して設定されるＣＰ長に関するパラメータ、および／または、Ｄ２Ｄ通信のためのＤ２ＤＳＡでの送信（ＰＤ２ＤＤＣＨでの送信）に対して設定されるＣＰ長に関するパラメータに基づいて、設定されたサブフレーム（Ｄ２Ｄ通信の送信に対して設定されたリソースプールの任意のサブフレームでもよい）において周期的に送信されてもよい。
【０１３１】
上述では、第１のＤ２ＤＳＳ／第１のＰＤ２ＤＳＣＨ、および、第４のＤ２ＤＳＳ／第４のＰＤ２ＤＳＣＨの送信に用いられるＣＰ長の設定の例として、Ｄ２Ｄ発見に対して設定されるＣＰ長とＤ２Ｄ通信に対して設定されるＣＰ長を比較して、ＣＰ長が長い方を用いることを記載した。以下、第１のＤ２ＤＳＳ／第１のＰＤ２ＤＳＣＨ、および、第４のＤ２ＤＳＳ／第４のＰＤ２ＤＳＣＨの送信に用いられるＣＰ長を、Ｄ２Ｄ通信のモードおよび／またはＤ２Ｄ発見のタイプに対する優先度に基づいて設定する例を記載する。
【０１３２】
以下では、一例として、Ｄ２Ｄ発見タイプ１、Ｄ２Ｄ発見タイプ２（タイプ２Ａおよび／またはタイプ２Ｂ）、Ｄ２Ｄ通信モード１、および、Ｄ２Ｄ通信モード２のそれぞれに対してＣＰ長が個別に設定され、優先度に基づいて、第１のＤ２ＤＳＳ／第１のＰＤ２ＤＳＣＨの送信、および、第４のＤ２ＤＳＳ／第４のＰＤ２ＤＳＣＨの送信に用いられるＣＰ長が設定される例を記載する。ここで、以下の記載は一例であり、本実施形態は同様の内容であれば、その全てを含むことは勿論である。例えば、優先度は、仕様書などによって事前に規定される。
【０１３３】
例えば、優先度として、
・Ｄ２Ｄ通信モード１はＤ２Ｄ発見タイプ２よりも優先度が高い
・Ｄ２Ｄ発見タイプ２はＤ２Ｄ通信モード２よりも優先度が高い
・Ｄ２Ｄ通信モード２はＤ２Ｄ発見タイプ１よりも優先度が高い
と規定された場合、Ｄ２Ｄ通信のモードとしてモード１が、Ｄ２Ｄ発見のタイプとしてタイプ２が設定されたならば、第１のＤ２ＤＳＳ／第１のＰＤ２ＤＳＣＨの送信、および、第４のＤ２ＤＳＳ／第４のＰＤ２ＤＳＣＨの送信には、Ｄ２Ｄ通信モード１に対して設定されるＣＰ長が用いられる。また、Ｄ２Ｄ通信のモードとしてモード２が、Ｄ２Ｄ発見のタイプとしてタイプ２が設定されたならば、第１のＤ２ＤＳＳ／第１のＰＤ２ＤＳＣＨの送信、および、第４のＤ２ＤＳＳ／第４のＰＤ２ＤＳＣＨの送信には、Ｄ２Ｄ発見タイプ２に対して設定されるＣＰ長が用いられる。
【０１３４】
すなわち、第１のＤ２ＤＳＳ／第１のＰＤ２ＤＳＣＨの送信、および、第４のＤ２ＤＳＳ／第４のＰＤ２ＤＳＣＨの送信に用いられるＣＰ長は、予め規定される、Ｄ２Ｄ通信のモードおよび／またはＤ２Ｄ発見のタイプの優先度に基づいて設定されてもよい。
【０１３５】
ここで、Ｄ２Ｄ通信のモードおよび／またはＤ２Ｄ発見のタイプの優先度は、第１のＤ２ＤＳＳ／第１のＰＤ２ＤＳＣＨの送信と第４のＤ２ＤＳＳ／第４のＰＤ２ＤＳＣＨの送信が衝突した場合に、何れのＤ２ＤＳＳ／ＰＤ２ＤＳＣＨを送信するのかを決定するために用いられてもよい。すなわち、同一のサブフレームにおいて、第１のＤ２ＤＳＳ／第１のＰＤ２ＤＳＣＨの送信と第４のＤ２ＤＳＳ／第４のＰＤ２ＤＳＣＨの送信が生じた場合、優先度に基づいて、何れか１つのＤ２ＤＳＳ／ＰＤ２ＤＳＣＨが送信されてもよい。
【０１３６】
例えば、上述した優先度が規定された場合、Ｄ２Ｄ通信のモードとしてモード１が、Ｄ２Ｄ発見のタイプとしてタイプ２が設定され、第１のＤ２ＤＳＳ／第１のＰＤ２ＤＳＣＨの送信と第４のＤ２ＤＳＳ／第４のＰＤ２ＤＳＣＨの送信が同一サブフレームで生じたならば、該サブフレームにおいて、第４のＤ２ＤＳＳ／第４のＰＤ２ＤＳＣＨのみが送信されてもよい。ここで、該サブフレームにおける第４のＤ２ＤＳＳ／第４のＰＤ２ＤＳＣＨの送信に用いられるＣＰ長は、優先度に基づいて、Ｄ２Ｄ通信モード１に対して設定されたＣＰであってもよい。
【０１３７】
すなわち、優先度に基づいて、Ｄ２Ｄ通信に対応する第４のＤ２ＤＳＳ／第４のＰＤ２ＤＳＣＨ（Ｄ２Ｄ通信に対して設定された第４のＤ２ＤＳＳ／第４のＰＤ２ＤＳＣＨ）のみが送信されてもよい。すなわち、Ｄ２Ｄ発見に対応する第１のＤ２ＤＳＳ／第１のＰＤ２ＤＳＣＨ（Ｄ２Ｄ発見に対して設定された第１のＤ２ＤＳＳ／第１のＰＤ２ＤＳＣＨ）はドロップされる（第１のＤ２ＤＳＳ／第１のＰＤ２ＤＳＣＨの送信はドロップされる）。
【０１３８】
また、例えば、上述した優先度が規定された場合、Ｄ２Ｄ通信のモードとしてモード２が、Ｄ２Ｄ発見のタイプとしてタイプ２が設定され、第１のＤ２ＤＳＳ／第１のＰＤ２ＤＳＣＨの送信と第４のＤ２ＤＳＳ／第４のＰＤ２ＤＳＣＨの送信が同一サブフレームで生じたならば、該サブフレームにおいて、第１のＤ２ＤＳＳ／第１のＰＤ２ＤＳＣＨのみが送信されてもよい。ここで、該サブフレームにおける第１のＤ２ＤＳＳ／第１のＰＤ２ＤＳＣＨの送信に用いられるＣＰ長は、優先度に基づいて、Ｄ２Ｄ発見タイプ２に対して設定されたＣＰであってもよい。
【０１３９】
すなわち、優先度に基づいて、Ｄ２Ｄ発見に対応する第１のＤ２ＤＳＳ／第１のＰＤ２ＤＳＣＨ（Ｄ２Ｄ発見に対して設定された第１のＤ２ＤＳＳ／第１のＰＤ２ＤＳＣＨ）のみが送信されてもよい。すなわち、Ｄ２Ｄ通信に対応する第４のＤ２ＤＳＳ／第４のＰＤ２ＤＳＣＨ（Ｄ２Ｄ通信に対して設定された第４のＤ２ＤＳＳ／第４のＰＤ２ＤＳＣＨ）はドロップされる（第４のＤ２ＤＳＳ／第４のＰＤ２ＤＳＣＨの送信はドロップされる）。
【０１４０】
以下、送信電力の設定方法について説明する。
【０１４１】
ここで、少なくともカバレッジ内の端末装置１Ａに対して、Ｄ２ＤＳＡおよびＰＳＣＨでの送信（ＰＤ２ＤＤＣＨでの送信）に対して、次式で示されるような送信電力制御が適用されてもよい。すなわち、Ｄ２ＤＳＡおよびＰＳＣＨでの送信（ＰＤ２ＤＤＣＨでの送信）に対して、数式１に基づいて算出される送信電力（送信電力の値）が用いられてもよい。
【０１４２】
【数１】
2016017672.tif 000003
【０１４３】
ここで、ＰＤ２Ｄ（ｉ）は、サブフレームｉにおける、端末装置１によるＤ２ＤＳＡおよびＰＳＣＨでの送信（ＰＤ２ＤＤＣＨでの送信）に対する送信電力（送信電力の値）である。また、ＰＣＭＡＸ，ｃは、サービングセルｃにおける最大送信電力である。また、ＭＤ２Ｄ（ｉ）は、Ｄ２ＤＳＡおよびＰＳＣＨでの送信（ＰＤ２ＤＤＣＨでの送信）に対してスケジュールされたリソースブロック数である。また、ＰＯ＿Ｄ２Ｄは、セル固有に設定可能な名目上に目標電力と端末装置固有の電力オフセットを加えた電力である。また、αＤ２Ｄは、フラクショナルＴＰＣにおけるパスロス補償ファクタである。また、ＰＬｃは、サービングセルｃにおける基地局装置３と端末装置１の間のパスロスである。また、ｆＤ２Ｄ（ｉ）は、ＰＤＣＣＨを介して送信されるＴＰＣコマンドに基づく。
【０１４４】
ここで、ＰＯ＿Ｄ２Ｄは、セル固有に設定可能な名目上に目標電力でもよい。また、ＰＬｃは、Ｄ２Ｄリンクのパスロス（端末装置１間のパスロス）であってもよい。また、ＰＬｃは、Ｄ２ＤＳＳを送信する同期ソースからのパスロスであってもよい。上述したように、同期ソースは、基地局装置、または、端末装置１である。
【０１４５】
以下、ＰＯ＿Ｄ２Ｄおよび／またはαＤ２Ｄを、送信電力に関するパラメータとも記載する。
【０１４６】
ここで、Ｄ２Ｄ発見に対する送信電力に関するパラメータ、および、Ｄ２Ｄ通信に対する送信電力に関するパラメータのそれぞれは、個別に設定されてもよい。また、Ｄ２Ｄ発見タイプ１に対する送信電力に関するパラメータ、Ｄ２Ｄ発見タイプ２に対する送信電力に関するパラメータ、Ｄ２Ｄ通信モード１に対する送信電力に関するパラメータ、および、Ｄ２Ｄ通信モード２に対する送信電力に関するパラメータのそれぞれは、個別に設定されてもよい。
【０１４７】
また、Ｄ２Ｄ通信のためのＰＳＣＨでの送信（ＰＤ２ＤＤＣＨでの送信）に対する送信電力に関するパラメータ、および、Ｄ２Ｄ通信のためのＤ２ＤＳＡでの送信（ＰＤ２ＤＤＣＨでの送信）に対する送信電力に関するパラメータとして、１つの共通の送信電力に関するパラメータが設定されてもよい。また、Ｄ２Ｄ通信のためのＰＳＣＨでの送信（ＰＤ２ＤＤＣＨでの送信）に対する送信電力に関するパラメータと、Ｄ２Ｄ通信のためのＤ２ＤＳＡでの送信（ＰＤ２ＤＤＣＨでの送信）に対する送信電力に関するパラメータは、個別に設定されてもよい。
【０１４８】
また、ＰＤ２ＤＳＣＨおよびＤ２ＤＳＳに対する送信電力に関するパラメータと、ＰＤ２ＤＤＣＨに対する送信電力に関するパラメータは、個別に設定されてもよい。
【０１４９】
例えば、基地局装置３は、上述したような送信電力に関するパラメータ（送信電力に関するパラメータを設定するための情報）を、上位層の信号に含めて送信してもよい。
【０１５０】
以下、第１のＤ２ＤＳＳ／第１のＰＤ２ＤＳＣＨの送信、および、第４のＤ２ＤＳＳ／第４のＰＤ２ＤＳＣＨの送信に対して、１つの共通の送信電力が設定される第３の例を記載する。
【０１５１】
例えば、第１のＤ２ＤＳＳ／第１のＰＤ２ＤＳＣＨの送信、および、第４のＤ２ＤＳＳ／第４のＰＤ２ＤＳＣＨの送信に対して、１つの送信電力（送信電力に関するパラメータ）が定義されてもよい。すなわち、基地局装置３は、第１のＤ２ＤＳＳ／第１のＰＤ２ＤＳＣＨの送信、および、第４のＤ２ＤＳＳ／第４のＰＤ２ＤＳＣＨの送信に対して、１つの送信電力を設定してもよい。また、端末装置１は、設定された１つの共通の送信電力を用いて、第１のＤ２ＤＳＳ／第１のＰＤ２ＤＳＣＨ、および、第４のＤ２ＤＳＳ／第４のＰＤ２ＤＳＣＨを送信してもよい。
【０１５２】
ここで、第１のＤ２ＤＳＳ／第１のＰＤ２ＤＳＣＨの送信、および、第４のＤ２ＤＳＳ／第４のＰＤ２ＤＳＣＨの送信に対して設定される１つのＣＰ長として、Ｄ２Ｄ発見に対して設定される送信電力が用いられてもよい。例えば、第１のＤ２ＤＳＳ／第１のＰＤ２ＤＳＣＨの送信に対する送信電力、および、第４のＤ２ＤＳＳ／第４のＰＤ２ＤＳＣＨの送信に対する送信電力の設定に、Ｄ２Ｄ発見に対して設定される送信電力に関するパラメータが用いられてもよい。
【０１５３】
また、第１のＤ２ＤＳＳ／第１のＰＤ２ＤＳＣＨの送信、および、第４のＤ２ＤＳＳ／第４のＰＤ２ＤＳＣＨの送信に対して設定される１つの送信電力として、Ｄ２Ｄ通信に対する送信電力が用いられてもよい。例えば、第１のＤ２ＤＳＳ／第１のＰＤ２ＤＳＣＨの送信に対する送信電力、および、第４のＤ２ＤＳＳ／第４のＰＤ２ＤＳＣＨの送信に対する送信電力の設定に、Ｄ２Ｄ通信に対する送信電力に関するパラメータが用いられてもよい。
【０１５４】
また、第１のＤ２ＤＳＳ／第１のＰＤ２ＤＳＣＨの送信、および、第４のＤ２ＤＳＳ／第４のＰＤ２ＤＳＣＨの送信に対して設定される１つの送信電力として、Ｄ２Ｄ発見に対して設定される送信電力とＤ２Ｄ通信に対して設定される送信電力のうち、送信電力が高い方（大きい方）が用いられてもよい。すなわち、端末装置１は、Ｄ２Ｄ発見に対して設定される送信電力と、Ｄ２Ｄ通信に対して設定される送信電力と、を比較し、送信電力が高い方を用いて、第１のＤ２ＤＳＳ／第１のＰＤ２ＤＳＣＨ、および、第４のＤ２ＤＳＳ／第４のＰＤ２ＤＳＣＨを送信してもよい。例えば、Ｄ２Ｄ発見に対する送信電力に関するパラメータを用いて設定された送信電力と、Ｄ２Ｄ通信に対する送信電力に関するパラメータを用いて設定された送信電力と、を比較し、送信電力が高い方を、第１のＤ２ＤＳＳ／第１のＰＤ２ＤＳＣＨ、および、第４のＤ２ＤＳＳ／第４のＰＤ２ＤＳＣＨの送信に用いられてもよい。
【０１５５】
例えば、端末装置１は、Ｄ２Ｄ発見に対して設定された送信電力に関するパラメータから算出されるリソースブロックあたりの送信電力と、Ｄ２Ｄ通信に対して設定された送信電力に関するパラメータから算出されるリソースブロックあたりの送信電力と、を比較し、送信電力（リソースブロックあたりの送信電力）が高い方を用いて、第１のＤ２ＤＳＳ／第１のＰＤ２ＤＳＣＨ、および、第４のＤ２ＤＳＳ／第４のＰＤ２ＤＳＣＨを送信してもよい。
【０１５６】
ここで、Ｄ２Ｄ発見に対して設定される送信電力の算出、および、Ｄ２Ｄ通信に対して設定される送信電力の算出には、１つの共通のパスロス（パスロスの推定値）が用いられる。例えば、Ｄ２Ｄ発見に対して設定される送信電力の算出、および、Ｄ２Ｄ通信に対して設定される送信電力の算出に対する１つの共通のパスロス（パスロスの推定値）として、基地局装置３と端末装置１との間のパスロス（パスロスの推定値）が用いられてもよい。例えば、Ｄ２Ｄ通信のモードとしてモード１が設定された場合、Ｄ２Ｄ発見に対して設定される送信電力の算出、および、Ｄ２Ｄ通信に対して設定される送信電力の算出に対する１つの共通のパスロス（パスロスの推定値）として、基地局装置３と端末装置１との間のパスロス（パスロスの推定値）が用いられてもよい。
【０１５７】
また、Ｄ２Ｄ発見に対して設定される送信電力の算出、および、Ｄ２Ｄ通信に対して設定される送信電力の算出に対する１つの共通のパスロス（パスロスの推定値）として、端末装置１間のパスロス（パスロスの推定値）が用いられてもよい。例えば、Ｄ２Ｄ通信のモードとしてモード２が設定された場合、Ｄ２Ｄ発見に対して設定される送信電力の算出、および、Ｄ２Ｄ通信に対して設定される送信電力の算出に対する１つの共通のパスロス（パスロスの推定値）として、端末装置１間のパスロス（パスロスの推定値）が用いられてもよい。
【０１５８】
ここで、Ｄ２Ｄ発見に対して設定される送信電力とＤ２Ｄ通信に対して設定される送信電力が、同一の値の場合には、第１のＤ２ＤＳＳ／第１のＰＤ２ＤＳＣＨ、および、第４のＤ２ＤＳＳ／第４のＰＤ２ＤＳＣＨは、該送信電力（送信電力の値）を用いて送信されてもよい。また、Ｄ２Ｄ発見に対して設定される送信電力とＤ２Ｄ通信に対して設定される送信電力が、異なる値の場合には、第１のＤ２ＤＳＳ／第１のＰＤ２ＤＳＣＨ、および、第４のＤ２ＤＳＳ／第４のＰＤ２ＤＳＣＨは、Ｄ２Ｄ発見に対して設定される送信電力と、Ｄ２Ｄ通信に対して設定される送信電力と、を比較し、送信電力が高い方を用いて送信されてもよい。
【０１５９】
ここで、上述において、第１のＤ２ＤＳＳ／第１のＰＤ２ＤＳＣＨ、および、第４のＤ２ＤＳＳ／第４のＰＤ２ＤＳＣＨの送信に用いられる送信電力として、Ｄ２Ｄ発見に対して設定される送信電力とＤ２Ｄ通信に対して設定される送信電力を比較して、送信電力が高い方を用いることを記載したが、送信電力が低い方を用いてもよいことは勿論である。例えば、送信電力が高い方、送信電力が低い方の、何れを用いるのかは、仕様書などによって規定される。
【０１６０】
以下、第１のＤ２ＤＳＳ／第１のＰＤ２ＤＳＣＨの送信、および、第４のＤ２ＤＳＳ／第４のＰＤ２ＤＳＣＨの送信のそれぞれに対して、個別に送信電力が設定される第４の例を記載する。
【０１６１】
例えば、第１のＤ２ＤＳＳ／第１のＰＤ２ＤＳＣＨの送信、および、第４のＤ２ＤＳＳ／第４のＰＤ２ＤＳＣＨの送信のそれぞれに対して、個別の送信電力（送信電力に関するパラメータ）が定義されてもよい。すなわち、基地局装置３は、第１のＤ２ＤＳＳ／第１のＰＤ２ＤＳＣＨの送信、および、第４のＤ２ＤＳＳ／第４のＰＤ２ＤＳＣＨの送信のそれぞれに対して、個別に送信電力を設定してもよい。また、端末装置１は、第１のＤ２ＤＳＳ／第１のＰＤ２ＤＳＣＨの送信に対して設定された送信電力を用いて第１のＤ２ＤＳＳ／第１のＰＤ２ＤＳＣＨを送信し、第４のＤ２ＤＳＳ／第４のＰＤ２ＤＳＣＨに対して設定された送信電力を用いて第４のＤ２ＤＳＳ／第４のＰＤ２ＤＳＣＨを送信してもよい。
【０１６２】
ここで、第１のＤ２ＤＳＳ／第１のＰＤ２ＤＳＣＨの送信に対して、Ｄ２Ｄ発見に対して設定される送信電力が用いられてもよい。また、第４のＤ２ＤＳＳ／第４のＰＤ２ＤＳＣＨの送信に対して、Ｄ２Ｄ通信に対して設定される送信電力が用いられてもよい。例えば、第１のＤ２ＤＳＳ／第１のＰＤ２ＤＳＣＨの送信に対する送信電力に、Ｄ２Ｄ発見に対して設定される送信電力に関するパラメータが用いられてもよい。また、第４のＤ２ＤＳＳ／第４のＰＤ２ＤＳＣＨの送信に対する送信電力の設定に、Ｄ２Ｄ通信に対して設定される送信電力に関するパラメータが用いられてもよい。
【０１６３】
ここで、上述したように、Ｄ２Ｄ発見に対して設定される送信電力の算出、および、Ｄ２Ｄ通信に対して設定される送信電力の算出には、１つの共通のパスロス（パスロスの推定値）が用いられる。例えば、Ｄ２Ｄ発見に対して設定される送信電力の算出、および、Ｄ２Ｄ通信に対して設定される送信電力の算出に対する１つの共通のパスロス（パスロスの推定値）として、基地局装置３と端末装置１との間のパスロス（パスロスの推定値）が用いられてもよい。また、Ｄ２Ｄ発見に対して設定される送信電力の算出、および、Ｄ２Ｄ通信に対して設定される送信電力の算出に対する１つの共通のパスロス（パスロスの推定値）として、端末装置１間のパスロス（パスロスの推定値）が用いられてもよい。
【０１６４】
ここで、第３の例として記載した送信電力の設定方法と、第４の例として記載した送信電力の設定方法は、基地局装置３によって切り替えられてもよい。例えば、基地局装置３は、第３の例として記載した送信電力の設定方法、または、第４の例として記載した送信電力の設定方法のいずれか一方を指示するための情報を、上位層の信号に含めて送信してもよい。
【０１６５】
ここで、第３の例および／または第４の例において、第１のＤ２ＤＳＳ／第１のＰＤ２ＤＳＣＨは、Ｄ２Ｄ発見のためのＰＳＣＨでの送信（ＰＤ２ＤＤＣＨでの送信）に対して設定される送信電力を用いて送信されてもよい。例えば、第１のＤ２ＤＳＳ／第１のＰＤ２ＤＳＣＨは、Ｄ２Ｄ発見のためのＰＳＣＨでの送信（ＰＤ２ＤＤＣＨでの送信）に対して設定される送信電力に関するパラメータに基づいて、設定された周期的なリソースプール内の先頭のサブフレーム（Ｄ２Ｄ発見の送信に対して設定されたリソースプール内の任意のサブフレームでもよい）において送信されてもよい。
【０１６６】
また、第３の例および／または第４の例において、第４のＤ２ＤＳＳ／第４のＰＤ２ＤＳＣＨは、Ｄ２Ｄ通信のためのＰＳＣＨでの送信（ＰＤ２ＤＤＣＨでの送信）に対して設定される送信電力を用いて送信されてもよい。また、第３の例および／または第４の例において、第４のＤ２ＤＳＳ／第４のＰＤ２ＤＳＣＨは、Ｄ２Ｄ通信のためのＤ２ＤＳＡでの送信（ＰＤ２ＤＤＣＨでの送信）に対して設定される送信電力を用いて送信されてもよい。ここで、上述したように、Ｄ２Ｄ通信のためのＰＳＣＨでの送信（ＰＤ２ＤＤＣＨでの送信）、および、Ｄ２Ｄ通信のためのＰＳＣＨでの送信（ＰＤ２ＤＤＣＨでの送信）のそれぞれに対して、個別に送信電力が設定されてもよい。
【０１６７】
また、第３の例および／または第４の例において、Ｄ２Ｄ通信のためのＰＳＣＨでの送信（ＰＤ２ＤＤＣＨでの送信）に対して設定される送信電力、および、Ｄ２Ｄ通信のためのＰＳＣＨでの送信（ＰＤ２ＤＤＣＨでの送信）に対して設定される送信電力が、同一の値の場合には、第４のＤ２ＤＳＳ／第４のＰＤ２ＤＳＣＨは、該送信電力（送信電力の値）を用いて送信されてもよい。また、第３の例および／または第４の例において、Ｄ２Ｄ通信のためのＰＳＣＨでの送信（ＰＤ２ＤＤＣＨでの送信）に対して設定される送信電力、および、Ｄ２Ｄ通信のためのＰＳＣＨでの送信（ＰＤ２ＤＤＣＨでの送信）に対して設定される送信電力が、異なる値の場合には、第４のＤ２ＤＳＳ／第４のＰＤ２ＤＳＣＨは、Ｄ２Ｄ通信のためのＰＳＣＨでの送信（ＰＤ２ＤＤＣＨでの送信）に対して設定される送信電力と、Ｄ２Ｄ通信のためのＰＳＣＨでの送信（ＰＤ２ＤＤＣＨでの送信）に対して設定される送信電力と、を比較し、送信電力が高い方（大きい方）、または、ＣＰ長が低い方（小さい方）の送信電力を用いて送信されてもよい。
【０１６８】
すなわち、第４のＤ２ＤＳＳ／第４のＰＤ２ＤＳＣＨは、Ｄ２Ｄ通信のためのＰＳＣＨでの送信（ＰＤ２ＤＤＣＨでの送信）に対して設定される送信電力に関するパラメータ、および／または、Ｄ２Ｄ通信のためのＤ２ＤＳＡでの送信（ＰＤ２ＤＤＣＨでの送信）に対して設定される送信電力に関するパラメータに基づいて、設定されたサブフレーム（Ｄ２Ｄ通信の送信に対して設定されたリソースプールの任意のサブフレームでもよい）において周期的に送信されてもよい。
【０１６９】
上述では、第１のＤ２ＤＳＳ／第１のＰＤ２ＤＳＣＨ、および、第４のＤ２ＤＳＳ／第４のＰＤ２ＤＳＣＨの送信に用いられる送信電力の設定の例として、Ｄ２Ｄ発見に対して設定される送信電力とＤ２Ｄ通信に対して設定される送信電力を比較して、送信電力が高い方を用いることを記載した。以下、第１のＤ２ＤＳＳ／第１のＰＤ２ＤＳＣＨ、および、第４のＤ２ＤＳＳ／第４のＰＤ２ＤＳＣＨの送信に用いられる送信電力を、Ｄ２Ｄ通信のモードおよび／またはＤ２Ｄ発見のタイプに対する優先度に基づいて設定する例を記載する。
【０１７０】
以下では、一例として、Ｄ２Ｄ発見タイプ１、Ｄ２Ｄ発見タイプ２（タイプ２Ａおよび／またはタイプ２Ｂ）、Ｄ２Ｄ通信モード１、および、Ｄ２Ｄ通信モード２のそれぞれに対して送信電力が個別に設定され、優先度に基づいて、第１のＤ２ＤＳＳ／第１のＰＤ２ＤＳＣＨの送信、および、第４のＤ２ＤＳＳ／第４のＰＤ２ＤＳＣＨの送信に用いられる送信電力が設定される例を記載する。ここで、以下の記載は一例であり、本実施形態は同様の内容であれば、その全てを含むことは勿論である。例えば、優先度は、仕様書などによって事前に規定される。
【０１７１】
例えば、優先度として、
・Ｄ２Ｄ通信モード１はＤ２Ｄ発見タイプ２よりも優先度が高い
・Ｄ２Ｄ発見タイプ２はＤ２Ｄ通信モード２よりも優先度が高い
・Ｄ２Ｄ通信モード２はＤ２Ｄ発見タイプ１よりも優先度が高い
と規定された場合、Ｄ２Ｄ通信のモードとしてモード１が、Ｄ２Ｄ発見のタイプとしてタイプ２が設定されたならば、第１のＤ２ＤＳＳ／第１のＰＤ２ＤＳＣＨの送信、および、第４のＤ２ＤＳＳ／第４のＰＤ２ＤＳＣＨの送信には、Ｄ２Ｄ通信モード１に対して設定される送信電力が用いられる。また、Ｄ２Ｄ通信のモードとしてモード２が、Ｄ２Ｄ発見のタイプとしてタイプ２が設定されたならば、第１のＤ２ＤＳＳ／第１のＰＤ２ＤＳＣＨの送信、および、第４のＤ２ＤＳＳ／第４のＰＤ２ＤＳＣＨの送信には、Ｄ２Ｄ発見タイプ２に対して設定される送信電力が用いられる。
【０１７２】
すなわち、第１のＤ２ＤＳＳ／第１のＰＤ２ＤＳＣＨの送信、および、第４のＤ２ＤＳＳ／第４のＰＤ２ＤＳＣＨの送信に用いられる送信電力は、予め規定される、Ｄ２Ｄ通信のモードおよび／またはＤ２Ｄ発見のタイプの優先度に基づいて設定されてもよい。
【０１７３】
ここで、上述したように、Ｄ２Ｄ通信のモードおよび／またはＤ２Ｄ発見のタイプの優先度は、第１のＤ２ＤＳＳ／第１のＰＤ２ＤＳＣＨの送信と第４のＤ２ＤＳＳ／第４のＰＤ２ＤＳＣＨの送信が衝突した場合に、何れのＤ２ＤＳＳ／ＰＤ２ＤＳＣＨを送信するのかを決定するために用いられてもよい。
【０１７４】
例えば、上述した優先度が規定された場合、Ｄ２Ｄ通信のモードとしてモード１が、Ｄ２Ｄ発見のタイプとしてタイプ２が設定され、第１のＤ２ＤＳＳ／第１のＰＤ２ＤＳＣＨの送信と第４のＤ２ＤＳＳ／第４のＰＤ２ＤＳＣＨの送信が同一サブフレームで生じたならば、該サブフレームにおける第４のＤ２ＤＳＳ／第４のＰＤ２ＤＳＣＨの送信に用いられる送信電力は、優先度に基づいて、Ｄ２Ｄ通信モード１に対して設定された送信電力であってもよい。
【０１７５】
また、例えば、上述した優先度が規定された場合、Ｄ２Ｄ通信のモードとしてモード２が、Ｄ２Ｄ発見のタイプとしてタイプ２が設定され、第１のＤ２ＤＳＳ／第１のＰＤ２ＤＳＣＨの送信と第４のＤ２ＤＳＳ／第４のＰＤ２ＤＳＣＨの送信が同一サブフレームで生じたならば、該サブフレームにおける第１のＤ２ＤＳＳ／第１のＰＤ２ＤＳＣＨの送信に用いられる送信電力は、優先度に基づいて、Ｄ２Ｄ発見タイプ２に対して設定された送信電力であってもよい。
【０１７６】
以下、本実施形態における装置の構成について説明する。
【０１７７】
図６は、本実施形態の端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、Ｄ２Ｄ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１７８】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１７９】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。
【０１８０】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０１８１】
上位層処理部１０１が備えるＤ２Ｄ制御部１０１５は、無線リソース制御部１０１１によって管理されている各種設定情報／パラメータに基づいて、Ｄ２Ｄ発見、Ｄ２Ｄ通信、および／または、ＰｒｏＳｅ−ａｓｓｉｓｔｅｄ  ＷＬＡＮダイレクト通信の制御を行う。なお、Ｄ２Ｄ制御部１０１５は、少なくとも１つの端末装置１に対してＤ２ＤＳＳ／ＰＤ２ＤＳＣＨを送信するかどうかを制御してもよい。また、Ｄ２Ｄ制御部１０１５は、Ｄ２ＤＳＳ／ＰＤ２ＤＳＣＨの送信に用いられるＣＰ長の制御を行う。また、Ｄ２Ｄ制御部１０１５は、Ｄ２ＤＳＳ／ＰＤ２ＤＳＣＨの送信に用いられる送信電力の制御を行う。Ｄ２Ｄ制御部１０１５は、他の端末装置１またはＥＵＴＲＡＮ（基地局装置３）に送信する、Ｄ２Ｄに関連する情報を生成してもよい。
【０１８２】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１８３】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０１８４】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１８５】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１８６】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１８７】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１８８】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０１８９】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０１９０】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１９１】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０１９２】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１９３】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０１９４】
図７は、本実施形態の基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、Ｄ２Ｄ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１９５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１９６】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部１０１１は、上位層の信号を介して端末装置１各々に対して各種設定情報／パラメータをセットしてもよい。すなわち、無線リソース制御部１０１１は、各種設定情報／パラメータを示す情報を送信／報知する。
【０１９７】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０１９８】
上位層処理部３０１が備えるＤ２Ｄ制御部３０１５は、無線リソース制御部３０１１によって管理されている各種設定情報／パラメータに基づいて、セルラリンクを用いて通信している端末装置１におけるＤ２Ｄ発見、Ｄ２Ｄ通信、および／または、ＰｒｏＳｅ−ａｓｓｉｓｔｅｄ  ＷＬＡＮダイレクト通信の制御を行う。Ｄ２Ｄ制御部３０１５は、他の基地局装置３または端末装置１に送信する、Ｄ２Ｄに関連する情報を生成してもよい。また、Ｄ２Ｄ制御部３０１５は、Ｄ２ＤＳＳ／ＰＤ２ＤＳＣＨの送信に用いられるＣＰ長の制御を行う。また、Ｄ２Ｄ制御部３０１５は、Ｄ２ＤＳＳ／ＰＤ２ＤＳＣＨの送信に用いられる送信電力の制御を行う。
【０１９９】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２００】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０２０１】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０２０２】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２０３】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２０４】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２０５】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０２０６】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２０７】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２０８】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２０９】
本実施形態の端末装置１は、他の端末装置および基地局装置と通信する端末装置１において、Ｄ２Ｄ発見に対して設定される送信電力に関する第１のパラメータと、前記基地局装置と前記端末装置とにおけるパスロスの推定値を用いて算出される送信電力と、Ｄ２Ｄ通信に対して設定される送信電力に関する第２のパラメータと、前記パスロスの推定値を用いて算出される送信電力と、を比較し、大きい方の送信電力を用いて、Ｄ２ＤＳＳおよび／またはＰＤ２ＤＳＣＨを送信する送信部１０７を備える。
【０２１０】
また、本実施形態の端末装置１は、他の端末装置および基地局装置と通信する端末装置１において、Ｄ２Ｄ発見に対して設定される送信電力に関する第１のパラメータと、前記基地局装置と前記端末装置におけるパスロスの推定値に基づいて算出される送信電力を用いて、第１のＤ２ＤＳＳおよび／または第１のＰＤ２ＤＳＣＨを送信し、Ｄ２Ｄ通信に対して設定される送信電力に関する第２のパラメータと、前記パスロスの推定値に基づいて算出される送信電力を用いて、第２のＤ２ＤＳＳおよび／または第２のＰＤ２ＤＳＣＨを送信する送信部１０７を備え、前記第１のＤ２ＤＳＳおよび／または前記第１のＰＤ２ＤＳＣＨは、上位層の信号に含まれる第１の情報を用いて設定されたＤ２Ｄ発見に対するリソースプールの先頭のサブフレームにおいて周期的に送信され、前記第２のＤ２ＤＳＳおよび／または前記第２のＰＤ２ＤＳＣＨは、上位層の信号に含まれる第２の情報を用いて設定されたサブフレームにおいて周期的に送信される。
【０２１１】
また、本実施形態の基地局装置３は、他の端末装置と通信する端末装置１を制御する基地局装置３において、Ｄ２Ｄ発見に対する送信電力を設定するための第１のパラメータ、Ｄ２Ｄ通信に対する送信電力を設定するための第２のパラメータを送信する送信部３０７を備え、Ｄ２ＤＳＳおよび／またはＰＤ２ＤＳＣＨは、前記第１のパラメータと、前記基地局装置と前記端末装置とにおけるパスロスの推定値を用いて算出される送信電力と、前記第２のパラメータと、前記パスロスの推定値を用いて算出される送信電力と、を比較し、大きい方の送信電力を用いて送信される。
【０２１２】
また、本実施形態の基地局装置３は、他の端末装置と通信する端末装置１を制御する基地局装置３において、Ｄ２Ｄ発見に対する送信電力を設定するための第１のパラメータ、Ｄ２Ｄ通信に対する送信電力を設定するための第２のパラメータ、第１の情報、および、第２の情報を送信する送信部３０７を備え、第１のＤ２ＤＳＳおよび／または第１のＰＤ２ＤＳＣＨは、前記第１のパラメータと、前記基地局装置と前記端末装置におけるパスロスの推定値に基づいて算出される送信電力を用いて送信され、第２のＤ２ＤＳＳおよび／または第２のＰＤ２ＤＳＣＨは、前記第２のパラメータと、前記パスロスの推定値に基づいて算出される送信電力を用いて送信され、前記第１のＤ２ＤＳＳおよび／または前記第１のＰＤ２ＤＳＣＨは、前記第１の情報を用いて設定されたＤ２Ｄ発見に対するリソースプールの先頭のサブフレームにおいて周期的に送信され、前記第２のＤ２ＤＳＳおよび／または前記第２のＰＤ２ＤＳＣＨは、前記第２の情報を用いて設定されたサブフレームにおいて周期的に送信される。
【０２１３】
また、本実施形態の端末装置１は、他の端末装置および基地局装置と通信する端末装置１において、Ｄ２Ｄ発見に対して設定される第１のＣＰ長と、Ｄ２Ｄ通信に対して設定される第２のＣＰ長と、を比較し、ＣＰ長が長い方を用いて、Ｄ２ＤＳＳおよび／またはＰＤ２ＤＳＣＨを送信する送信部１０７を備える。
【０２１４】
また、本実施形態の端末装置１は、他の端末装置および基地局装置と通信する端末装置１において、Ｄ２Ｄ発見に対して設定される第１のＣＰ長を用いて、第１のＤ２ＤＳＳおよび／または第１のＰＤ２ＤＳＣＨを送信し、Ｄ２Ｄ通信に対して設定される第２のＣＰ長を用いて、第２のＤ２ＤＳＳおよび第２のＰＤ２ＤＳＣＨを送信する送信部１０７を備え、前記第１のＤ２ＤＳＳおよび前記第１のＰＤ２ＤＳＣＨは、上位層の信号に含まれる第１の情報を用いて設定されたＤ２Ｄ発見に対するリソースプールの先頭のサブフレームにおいて周期的に送信され、前記第２のＤ２ＤＳＳおよび前記第２のＰＤ２ＤＳＣＨは、上位層の信号に含まれる第２の情報を用いて設定されたサブフレームにおいて周期的に送信される。
【０２１５】
また、本実施形態の基地局装置３は、他の端末装置と通信する端末装置１を制御する基地局装置３において、Ｄ２Ｄ発見に対する第１のＣＰ長を設定するための第１のパラメータ、Ｄ２Ｄ通信に対する第２のＣＰ長を設定するための第２のパラメータを送信する送信部３０７を備え、Ｄ２ＤＳＳおよび／またはＰＤ２ＤＳＣＨは、第１のＣＰ長と、第２のＣＰ長と、を比較し、ＣＰ長が長い方を用いて送信される。
【０２１６】
また、本実施形態の基地局装置３は、他の端末装置と通信する端末装置１を制御する基地局装置３において、Ｄ２Ｄ発見に対する第１のＣＰ長を設定するための第１のパラメータ、Ｄ２Ｄ通信に対する第２のＣＰ長を設定するための第２のパラメータ、第１の情報、および、第２の情報を送信する送信部３０７を備え、第１のＤ２ＤＳＳおよび／または第１のＰＤ２ＤＳＣＨは、第１のＣＰ長を用いて送信され、第２のＤ２ＤＳＳおよび／または第２のＰＤ２ＤＳＣＨは、第２のＣＰ長を用いて送信され、前記第１のＤ２ＤＳＳおよび前記第１のＰＤ２ＤＳＣＨは、前記第１の情報を用いて設定されたＤ２Ｄ発見に対するリソースプールの先頭のサブフレームにおいて周期的に送信され、第２のＤ２ＤＳＳおよび第２のＰＤ２ＤＳＣＨは、前記第２の情報を用いて設定されたサブフレームにおいて周期的に送信される。
【０２１７】
これにより、端末装置１間で効率的にＤ２Ｄを行うことができる。例えば、効率的にＤ２Ｄに対するＣＰ長を制御することができる。また、例えば、効率的にＤ２Ｄに対する送信電力を制御することができる。
【０２１８】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２１９】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２２０】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２２１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２２２】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２２３】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２２４】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２２５】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２２６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２２７】
本発明は、端末装置、基地局装置を含む通信装置その他の電子機器の分野で利用が可能である。
【符号の説明】
【０２２８】
１（１Ａ、１Ｂ、１Ｃ）    端末装置
３    基地局装置
１０１    上位層処理部
１０３    制御部
１０５    受信部
１０７    送信部
１０９    送受信アンテナ部
３０１    上位層処理部
３０３    制御部
３０５    受信部
３０７    送信部
３０９    送受信アンテナ部
１０１１    無線リソース制御部
１０１３    スケジューリング情報解釈部
１０１５    Ｄ２Ｄ制御部
３０１１    無線リソース制御部
３０１３    スケジューリング部
３０１５    Ｄ２Ｄ制御部
【図１】
2016017672.tif 000004
【図２】
2016017672.tif 000005
【図３】
2016017672.tif 000006
【図４】
2016017672.tif 000007
【図５】
2016017672.tif 000008
【図６】
2016017672.tif 000009
【図７】
2016017672.tif 000010
【国際調査報告】
2016017672.tif 000011
2016017672.tif 000012
2016017672.tif 000013
2016017672.tif 000014
2016017672.tif 000015